(57)【要約】  ＰＵＣＣＨリソースを暗示的に決定する方法および装置である。本発明は、制御リソースセットにおける検索空間セット中の一意のインデックスの使用および／または制御チャネルエレメントサブセットのインデックスの使用における衝突なく、ＰＤＣＣＨリソースの設定のためのＰＵＣＣＨリソースサブセット中のＰＵＣＣＨリソースの柔軟な選択を可能にする。
2021520736.tif 000002
【特許請求の範囲】
【請求項１】
ダウンリンク割当てを受信するとともに、前記受信されたダウンリンク割当てから、確認応答リソースインジケータを抽出することと、
前記抽出された確認応答リソースインジケータから、物理アップリンク制御チャネルリソースサブセットを決定することと、
前記ダウンリンク割当てがデコード化された制御リソースセットにおける検索空間セット中の物理ダウンリンク制御チャネル候補インデックスを決定することと、
前記物理ダウンリンク制御チャネル候補インデックスに対する一意の候補インデックスおよび物理ダウンリンク制御チャネル候補のアグリゲーションレベルを決定することと、
前記一意の候補インデックスと、
ユーザ固有のオフセットと、
前記物理アップリンク制御チャネルリソースサブセット内の物理アップリンク制御チャネルリソースの数と、
に基づいて、ハイブリッド自動再送要求確認応答フィードバックに対する前記物理アップリンク制御チャネルリソースサブセット内の物理アップリンク制御チャネルリソースを決定することと、
前記決定された物理アップリンク制御チャネルリソース上でハイブリッド自動再送要求確認応答を送信することと、
を含む方法。
【請求項２】
ダウンリンク割当てを受信するとともに、前記受信されたダウンリンク割当てから、確認応答リソースインジケータを抽出する手段と、
前記抽出された確認応答リソースインジケータから、物理アップリンク制御チャネルリソースサブセットを決定する手段と、
前記ダウンリンク割当てがデコード化された制御リソースセットにおける検索空間セット中の物理ダウンリンク制御チャネル候補インデックスを決定する手段と、
前記物理ダウンリンク制御チャネル候補インデックスに対する一意の候補インデックスおよび物理ダウンリンク制御チャネル候補のアグリゲーションレベルを決定する手段と、
前記一意の候補インデックスと、
ユーザ固有のオフセットと、
前記物理アップリンク制御チャネルリソースサブセット内の物理アップリンク制御チャネルリソースの数と、
に基づいて、ハイブリッド自動再送要求確認応答フィードバックに対する前記物理アップリンク制御チャネルリソースサブセット内の物理アップリンク制御チャネルリソースを決定する手段と、
前記決定された物理アップリンク制御チャネルリソース上でハイブリッド自動再送要求確認応答を送信する手段と、
を備えた装置。
【請求項３】
少なくとも１つのプロセッサと、
コンピュータプログラムコードを含む少なくとも１つの持続性メモリと、
を備えた装置であって、
前記少なくとも１つの持続性メモリおよび前記コンピュータプログラムコードが、前記少なくとも１つのプロセッサによって、
ダウンリンク割当ての受信に少なくとも部分的に基づいて、前記受信されたダウンリンク割当てから、確認応答リソースインジケータを抽出することと、
前記抽出された確認応答リソースインジケータから、物理アップリンク制御チャネルリソースサブセットを決定することと、
前記ダウンリンク割当てがデコード化された制御リソースセットにおける検索空間セット中の物理ダウンリンク制御チャネル候補インデックスを決定することと、
前記物理ダウンリンク制御チャネル候補インデックスに対する一意の候補インデックスおよび物理ダウンリンク制御チャネル候補のアグリゲーションレベルを決定することと、
前記一意の候補インデックスと、
ユーザ固有のオフセットと、
前記物理アップリンク制御チャネルリソースサブセット内の物理アップリンク制御チャネルリソースの数と、
に基づいて、ハイブリッド自動再送要求確認応答フィードバックに対する前記物理アップリンク制御チャネルリソースサブセット内の物理アップリンク制御チャネルリソースを決定することと、
前記決定された物理アップリンク制御チャネルリソース上でハイブリッド自動再送要求確認応答を送信することと、
を当該装置に行わせるように構成された、装置。
【請求項４】
機械により可読で、前記機械による実行によって、
ダウンリンク割当ての受信に少なくとも部分的に基づいて、前記受信されたダウンリンク割当てから、確認応答リソースインジケータを抽出することと、
前記抽出された確認応答リソースインジケータから、物理アップリンク制御チャネルリソースサブセットを決定することと、
前記ダウンリンク割当てがデコード化された制御リソースセットにおける検索空間セット中の物理ダウンリンク制御チャネル候補インデックスを決定することと、
前記物理ダウンリンク制御チャネル候補インデックスに対する一意の候補インデックスおよび物理ダウンリンク制御チャネル候補のアグリゲーションレベルを決定することと、
前記一意の候補インデックスと、
ユーザ固有のオフセットと、
前記物理アップリンク制御チャネルリソースサブセット内の物理アップリンク制御チャネルリソースの数と、
に基づいて、ハイブリッド自動再送要求確認応答フィードバックに対する前記物理アップリンク制御チャネルリソースサブセット内の物理アップリンク制御チャネルリソースを決定することと、
前記決定された物理アップリンク制御チャネルリソース上でハイブリッド自動再送要求確認応答を送信することと、
を含む動作を実行可能な命令のプログラムを明確に具体化した持続性プログラム記憶装置。
【請求項５】
確認応答リソースインジケータを選択するとともに、物理アップリンク制御チャネルリソースサブセットを決定することと、
制御リソースセットにおける検索空間セット中の１つまたは複数の物理ダウンリンク制御チャネル候補の物理ダウンリンク制御チャネル候補インデックスおよびアグリゲーションレベルに基づいて、一意のインデックスを決定することと、
前記一意のインデックスと、
ユーザ固有のオフセットと、
前記物理アップリンク制御チャネルリソースサブセット内の物理アップリンク制御チャネルリソースの数と、
に基づいて、前記１つまたは複数の物理ダウンリンク制御チャネル候補ごとに、ハイブリッド自動再送要求確認応答フィードバックに対する前記物理アップリンク制御チャネルリソースサブセット内の物理アップリンク制御チャネルリソースを決定することと、
前記物理アップリンク制御チャネルリソースサブセット内の物理アップリンク制御チャネルリソースを選択するとともに、前記選択された物理アップリンク制御チャネルリソースに基づいて、ダウンリンク割当てを送信する物理ダウンリンク制御チャネル候補を決定することと、
前記決定された物理ダウンリンク制御チャネル候補上で前記確認応答リソースインジケータを含む前記ダウンリンク割当てを送信することと、
前記選択された物理アップリンク制御チャネルリソース上で確認応答フィードバックを受信することと、
を含む方法。
【請求項６】
確認応答リソースインジケータを選択するとともに、物理アップリンク制御チャネルリソースサブセットを決定する手段と、
制御リソースセットにおける検索空間セット中の１つまたは複数の物理ダウンリンク制御チャネル候補の物理ダウンリンク制御チャネル候補インデックスおよびアグリゲーションレベルに基づいて、一意のインデックスを決定する手段と、
前記一意のインデックスと、
ユーザ固有のオフセットと、
物理アップリンク制御チャネルリソースサブセット内の物理アップリンク制御チャネルリソースの数と、
に基づいて、前記１つまたは複数の物理ダウンリンク制御チャネル候補ごとに、ハイブリッド自動再送要求確認応答フィードバックに対する前記物理アップリンク制御チャネルリソースサブセット内の物理アップリンク制御チャネルリソースを決定する手段と、
前記物理アップリンク制御チャネルリソースサブセット内の物理アップリンク制御チャネルリソースを選択するとともに、前記選択された物理アップリンク制御チャネルリソースに基づいて、ダウンリンク割当てを送信する物理ダウンリンク制御チャネル候補を決定する手段と、
前記決定された物理ダウンリンク制御チャネル候補上で前記確認応答リソースインジケータを含む前記ダウンリンク割当てを送信する手段と、
前記選択された物理アップリンク制御チャネルリソース上で確認応答フィードバックを受信する手段と、
を備えた装置。
【請求項７】
少なくとも１つのプロセッサと、
コンピュータプログラムコードを含む少なくとも１つの持続性メモリと、
を備えた装置であって、
前記少なくとも１つの持続性メモリおよび前記コンピュータプログラムコードが、前記少なくとも１つのプロセッサによって、
確認応答リソースインジケータを選択するとともに、物理アップリンク制御チャネルリソースサブセットを決定することと、
制御リソースセットにおける検索空間セット中の１つまたは複数の物理ダウンリンク制御チャネル候補の物理ダウンリンク制御チャネル候補インデックスおよびアグリゲーションレベルに基づいて、一意のインデックスを決定することと、
前記一意のインデックスと、
ユーザ固有のオフセットと、
前記物理アップリンク制御チャネルリソースサブセット内の物理アップリンク制御チャネルリソースの数と、
に基づいて、前記１つまたは複数の物理ダウンリンク制御チャネル候補ごとに、ハイブリッド自動再送要求確認応答フィードバックに対する前記物理アップリンク制御チャネルリソースサブセット内の物理アップリンク制御チャネルリソースを決定することと、
前記物理アップリンク制御チャネルリソースサブセット内の物理アップリンク制御チャネルリソースを選択するとともに、前記選択された物理アップリンク制御チャネルリソースに基づいて、ダウンリンク割当てを送信する物理ダウンリンク制御チャネル候補を決定することと、
前記決定された物理ダウンリンク制御チャネル候補上で前記確認応答リソースインジケータを含む前記ダウンリンク割当てを送信することと、
前記選択された物理アップリンク制御チャネルリソース上で確認応答フィードバックを受信可能にすることと、
を当該装置に行わせるように構成された、装置。
【請求項８】
機械により可読で、前記機械による実行によって、
確認応答リソースインジケータを選択するとともに、物理アップリンク制御チャネルリソースサブセットを決定することと、
制御リソースセットにおける検索空間セット中の１つまたは複数の物理ダウンリンク制御チャネル候補の物理ダウンリンク制御チャネル候補インデックスおよびアグリゲーションレベルに基づいて、一意のインデックスを決定することと、
前記一意のインデックスと、
ユーザ固有のオフセットと、
前記物理アップリンク制御チャネルリソースサブセット内の物理アップリンク制御チャネルリソースの数と、
に基づいて、前記１つまたは複数の物理ダウンリンク制御チャネル候補ごとに、ハイブリッド自動再送要求確認応答フィードバックに対する前記物理アップリンク制御チャネルリソースサブセット内の物理アップリンク制御チャネルリソースを決定することと、
前記物理アップリンク制御チャネルリソースサブセット内の物理アップリンク制御チャネルリソースを選択するとともに、前記選択された物理アップリンク制御チャネルリソースに基づいて、ダウンリンク割当てを送信する物理ダウンリンク制御チャネル候補を決定することと、
前記決定された物理ダウンリンク制御チャネル候補上で前記確認応答リソースインジケータを含む前記ダウンリンク割当てを送信することと、
前記選択された物理アップリンク制御チャネルリソース上で確認応答フィードバックを受信可能にすることと、
を含む動作を実行可能な命令のプログラムを明確に具体化した持続性プログラム記憶装置。
【請求項９】
ダウンリンク割当てを受信するとともに、前記受信されたダウンリンク割当てから、確認応答リソースインジケータを抽出することと、
前記抽出された確認応答リソースインジケータから、物理アップリンク制御チャネルリソースサブセットを決定することと、
前記ダウンリンク割当てがデコード化された制御リソースセットにおける検索空間セット中の開始制御チャネルエレメントを決定することと、
前記制御リソースセットにおける前記検索空間セット中の制御チャネルエレメントを１つまたは複数の制御チャネルエレメントサブセットに分離するとともに、前記１つまたは複数の制御チャネルエレメントサブセットごとにインデックスを決定することであり、前記１つまたは複数の制御チャネルエレメントサブセットの数が、前記物理アップリンク制御チャネルリソースサブセット中の物理アップリンク制御チャネルリソースの数によって決まる、ことと、
前記開始制御チャネルエレメントを含む前記制御チャネルエレメントサブセットインデックスに基づいて、ハイブリッド自動再送要求確認応答フィードバックに対する前記物理アップリンク制御チャネルリソースサブセット内の物理アップリンク制御チャネルリソースを決定することと、
前記決定された物理アップリンク制御チャネルリソース上でハイブリッド自動再送要求確認応答を送信することと、
を含む方法。
【請求項１０】
ダウンリンク割当てを受信するとともに、前記受信されたダウンリンク割当てから、確認応答リソースインジケータを抽出する手段と、
前記抽出された確認応答リソースインジケータから、物理アップリンク制御チャネルリソースサブセットを決定する手段と、
前記ダウンリンク割当てがデコード化された制御リソースセットにおける検索空間セット中の開始制御チャネルエレメントを決定する手段と、
前記制御リソースセットにおける前記検索空間セット中の制御チャネルエレメントを１つまたは複数の制御チャネルエレメントサブセットに分離するとともに、前記１つまたは複数の制御チャネルエレメントサブセットごとにインデックスを決定する手段であり、前記１つまたは複数の制御チャネルエレメントサブセットの数が、前記物理アップリンク制御チャネルリソースサブセット中の物理アップリンク制御チャネルリソースの数によって決まる、手段と、
前記開始制御チャネルエレメントを含む前記制御チャネルエレメントサブセットインデックスに基づいて、ハイブリッド自動再送要求確認応答フィードバックに対する前記物理アップリンク制御チャネルリソースサブセット内の物理アップリンク制御チャネルリソースを決定する手段と、
前記決定された物理アップリンク制御チャネルリソース上でハイブリッド自動再送要求確認応答を送信する手段と、
を備えた装置。
【請求項１１】
少なくとも１つのプロセッサと、
コンピュータプログラムコードを含む少なくとも１つの持続性メモリと、
を備えた装置であって、
前記少なくとも１つの持続性メモリおよび前記コンピュータプログラムコードが、前記少なくとも１つのプロセッサによって、
ダウンリンク割当ての受信に少なくとも部分的に基づいて、前記受信されたダウンリンク割当てから、確認応答リソースインジケータを抽出することと、
前記抽出された確認応答リソースインジケータから、物理アップリンク制御チャネルリソースサブセットを決定することと、
前記ダウンリンク割当てがデコード化された制御リソースセットにおける検索空間セット中の開始制御チャネルエレメントを決定することと、
前記制御リソースセットにおける前記検索空間セット中の制御チャネルエレメントを１つまたは複数の制御チャネルエレメントサブセットに分離するとともに、前記１つまたは複数の制御チャネルエレメントサブセットごとにインデックスを決定することであり、前記１つまたは複数の制御チャネルエレメントサブセットの数が、前記物理アップリンク制御チャネルリソースサブセット中の物理アップリンク制御チャネルリソースの数によって決まる、ことと、
前記開始制御チャネルエレメントを含む前記制御チャネルエレメントサブセットインデックスに基づいて、ハイブリッド自動再送要求確認応答フィードバックに対する前記物理アップリンク制御チャネルリソースサブセット内の物理アップリンク制御チャネルリソースを決定することと、
前記決定された物理アップリンク制御チャネルリソース上でハイブリッド自動再送要求確認応答を送信することと、
を当該装置に行わせるように構成された、装置。
【請求項１２】
機械により可読で、前記機械による実行によって、
ダウンリンク割当ての受信に少なくとも部分的に基づいて、前記受信されたダウンリンク割当てから、確認応答リソースインジケータを抽出することと、
前記抽出された確認応答リソースインジケータから、物理アップリンク制御チャネルリソースサブセットを決定することと、
前記ダウンリンク割当てがデコード化された制御リソースセットにおける検索空間セット中の開始制御チャネルエレメントを決定することと、
前記制御リソースセットにおける前記検索空間セット中の制御チャネルエレメントを１つまたは複数の制御チャネルエレメントサブセットに分離するとともに、前記１つまたは複数の制御チャネルエレメントサブセットごとにインデックスを決定することであり、前記１つまたは複数の制御チャネルエレメントサブセットの数が、前記物理アップリンク制御チャネルリソースサブセット中の物理アップリンク制御チャネルリソースの数によって決まる、ことと、
前記開始制御チャネルエレメントを含む前記制御チャネルエレメントサブセットインデックスに基づいて、ハイブリッド自動再送要求確認応答フィードバックに対する前記物理アップリンク制御チャネルリソースサブセット内の物理アップリンク制御チャネルリソースを決定することと、
前記決定された物理アップリンク制御チャネルリソース上でハイブリッド自動再送要求確認応答を送信することと、
を含む動作を実行可能な命令のプログラムを明確に具体化した持続性プログラム記憶装置。
【請求項１３】
確認応答リソースインジケータを選択するとともに、物理アップリンク制御チャネルリソースサブセットを決定することと、
制御リソースセットにおける検索空間セット中の制御チャネルエレメントを１つまたは複数の制御チャネルエレメントサブセットに分離するとともに、前記１つまたは複数の制御チャネルエレメントサブセットごとにインデックスを決定することであり、前記１つまたは複数の制御チャネルエレメントサブセットの数が、前記物理アップリンク制御チャネルリソースサブセット中の物理アップリンク制御チャネルリソースの数によって決まる、ことと、
前記物理ダウンリンク制御チャネル候補の開始制御チャネルエレメントを含む制御チャネルエレメントサブセットインデックスに基づいて、１つまたは複数の物理ダウンリンク制御チャネル候補ごとに、ハイブリッド自動再送要求確認応答フィードバックに対する前記物理アップリンク制御チャネルリソースサブセット中の物理アップリンク制御チャネルリソースを決定することと、
前記物理アップリンク制御チャネルリソースサブセット内の物理アップリンク制御チャネルリソースを選択するとともに、前記選択された物理アップリンク制御チャネルリソースに基づいて、ダウンリンク割当てを送信する物理ダウンリンク制御チャネル候補を決定することと、
前記決定された物理ダウンリンク制御チャネル候補上で前記確認応答リソースインジケータを含む前記ダウンリンク割当てを送信することと、
前記選択された物理アップリンク制御チャネルリソース上で確認応答フィードバックを受信することと、
を含む方法。
【請求項１４】
確認応答リソースインジケータを選択するとともに、物理アップリンク制御チャネルリソースサブセットを決定する手段と、
制御リソースセットにおける検索空間セット中の制御チャネルエレメントを１つまたは複数の制御チャネルエレメントサブセットに分離するとともに、前記１つまたは複数の制御チャネルエレメントサブセットごとにインデックスを決定する手段であり、前記１つまたは複数の制御チャネルエレメントサブセットの数が、前記物理アップリンク制御チャネルリソースサブセット中の物理アップリンク制御チャネルリソースの数によって決まる、手段と、
前記物理ダウンリンク制御チャネル候補の開始制御チャネルエレメントを含む制御チャネルエレメントサブセットインデックスに基づいて、１つまたは複数の物理ダウンリンク制御チャネル候補ごとに、ハイブリッド自動再送要求確認応答フィードバックに対する前記物理アップリンク制御チャネルリソースサブセット中の物理アップリンク制御チャネルリソースを決定する手段と、
前記物理アップリンク制御チャネルリソースサブセット内の物理アップリンク制御チャネルリソースを選択するとともに、前記選択された物理アップリンク制御チャネルリソースに基づいて、ダウンリンク割当てを送信する物理ダウンリンク制御チャネル候補を決定する手段と、
前記決定された物理ダウンリンク制御チャネル候補上で前記確認応答リソースインジケータを含む前記ダウンリンク割当てを送信する手段と、
前記選択された物理アップリンク制御チャネルリソース上で確認応答フィードバックを受信する手段と、
を備えた装置。
【請求項１５】
少なくとも１つのプロセッサと、
コンピュータプログラムコードを含む少なくとも１つの持続性メモリと、
を備えた装置であって、
前記少なくとも１つの持続性メモリおよび前記コンピュータプログラムコードが、前記少なくとも１つのプロセッサによって、
確認応答リソースインジケータを選択するとともに、物理アップリンク制御チャネルリソースサブセットを決定することと、
制御リソースセットにおける検索空間セット中の制御チャネルエレメントを１つまたは複数の制御チャネルエレメントサブセットに分離するとともに、前記１つまたは複数の制御チャネルエレメントサブセットごとにインデックスを決定することであり、前記１つまたは複数の制御チャネルエレメントサブセットの数が、前記物理アップリンク制御チャネルリソースサブセット中の物理アップリンク制御チャネルリソースの数によって決まる、ことと、
前記物理ダウンリンク制御チャネル候補の開始制御チャネルエレメントを含む制御チャネルエレメントサブセットインデックスに基づいて、１つまたは複数の物理ダウンリンク制御チャネル候補ごとに、ハイブリッド自動再送要求確認応答フィードバックに対する前記物理アップリンク制御チャネルリソースサブセット中の物理アップリンク制御チャネルリソースを決定することと、
前記物理アップリンク制御チャネルリソースサブセット内の物理アップリンク制御チャネルリソースを選択するとともに、前記選択された物理アップリンク制御チャネルリソースに基づいて、ダウンリンク割当てを送信する物理ダウンリンク制御チャネル候補を決定することと、
前記決定された物理ダウンリンク制御チャネル候補上で前記確認応答リソースインジケータを含む前記ダウンリンク割当てを送信することと、
前記選択された物理アップリンク制御チャネルリソース上で確認応答フィードバックを受信可能にすることと、
を当該装置に行わせるように構成された、装置。
【請求項１６】
機械により可読で、前記機械による実行によって、
確認応答リソースインジケータを選択するとともに、物理アップリンク制御チャネルリソースサブセットを決定することと、
制御リソースセットにおける検索空間セット中の制御チャネルエレメントを１つまたは複数の制御チャネルエレメントサブセットに分離するとともに、前記１つまたは複数の制御チャネルエレメントサブセットごとにインデックスを決定することであり、前記１つまたは複数の制御チャネルエレメントサブセットの数が、前記物理アップリンク制御チャネルリソースサブセット中の物理アップリンク制御チャネルリソースの数によって決まる、ことと、
前記物理ダウンリンク制御チャネル候補の開始制御チャネルエレメントを含む制御チャネルエレメントサブセットインデックスに基づいて、１つまたは複数の物理ダウンリンク制御チャネル候補ごとに、ハイブリッド自動再送要求確認応答フィードバックに対する前記物理アップリンク制御チャネルリソースサブセット中の物理アップリンク制御チャネルリソースを決定することと、
前記物理アップリンク制御チャネルリソースサブセット内の物理アップリンク制御チャネルリソースを選択するとともに、前記選択された物理アップリンク制御チャネルリソースに基づいて、ダウンリンク割当てを送信する物理ダウンリンク制御チャネル候補を決定することと、
前記決定された物理ダウンリンク制御チャネル候補上で前記確認応答リソースインジケータを含む前記ダウンリンク割当てを送信することと、
前記選択された物理アップリンク制御チャネルリソース上で確認応答フィードバックを受信可能にすることと、
を含む動作を実行可能な命令のプログラムを明確に具体化した持続性プログラム記憶装置。
【請求項１７】
確認応答リソースインジケータを選択するとともに、物理アップリンク制御チャネルリソースサブセットを決定することと、
制御リソースセットにおける検索空間セット中の制御チャネルエレメントを１つまたは複数の制御チャネルエレメントサブセットに分離するとともに、前記１つまたは複数の制御チャネルエレメントサブセットごとにインデックスを決定することであり、前記１つまたは複数の制御チャネルエレメントサブセットの数が、前記物理アップリンク制御チャネルリソースサブセット中の物理アップリンク制御チャネルリソースの数によって決まる、ことと、
前記１つまたは複数の制御チャネルエレメントサブセットそれぞれにおいて、前記制御リソースセットにおける前記検索空間セット中の１つまたは複数の候補の物理ダウンリンク制御チャネル候補インデックスおよびアグリゲーションレベルに基づいて、一意のインデックスを決定することと、
前記物理ダウンリンク制御チャネル候補の開始制御チャネルエレメントを含む制御チャネルエレメントサブセットインデックスと、
前記物理ダウンリンク制御チャネル候補の前記開始制御チャネルエレメントを含む前記制御チャネルエレメントサブセットインデックス内の一意のインデックスと、
ユーザ固有のオフセットと、
前記物理アップリンク制御チャネルリソースサブセット中の物理アップリンク制御チャネルリソースの数と、
に基づいて、１つまたは複数の物理ダウンリンク制御チャネル候補ごとに、ハイブリッド自動再送要求確認応答フィードバックに対する前記物理アップリンク制御チャネルリソースサブセット中の物理アップリンク制御チャネルリソースを決定することと、
前記物理アップリンク制御チャネルリソースサブセット内の物理アップリンク制御チャネルリソースを選択するとともに、前記選択された物理アップリンク制御チャネルリソースに基づいて、ダウンリンク割当てを送信する物理ダウンリンク制御チャネル候補を決定することと、
前記決定された物理ダウンリンク制御チャネル候補上で前記確認応答リソースインジケータを含む前記ダウンリンク割当てを送信することと、
前記選択された物理アップリンク制御チャネルリソース上で確認応答フィードバックを受信することと、
を含む方法。
【請求項１８】
確認応答リソースインジケータを選択するとともに、物理アップリンク制御チャネルリソースサブセットを決定する手段と、
制御リソースセットにおける検索空間セット中の制御チャネルエレメントを１つまたは複数の制御チャネルエレメントサブセットに分離するとともに、前記１つまたは複数の制御チャネルエレメントサブセットごとにインデックスを決定する手段であり、前記１つまたは複数の制御チャネルエレメントサブセットの数が、前記物理アップリンク制御チャネルリソースサブセット中の物理アップリンク制御チャネルリソースの数によって決まる、手段と、
前記１つまたは複数の制御チャネルエレメントサブセットそれぞれにおいて、前記制御リソースセットにおける前記検索空間セット中の１つまたは複数の候補の物理ダウンリンク制御チャネル候補インデックスおよびアグリゲーションレベルに基づいて、一意のインデックスを決定する手段と、
前記物理ダウンリンク制御チャネル候補の開始制御チャネルエレメントを含む制御チャネルエレメントサブセットインデックスと、
前記物理ダウンリンク制御チャネル候補の前記開始制御チャネルエレメントを含む前記制御チャネルエレメントサブセットインデックス内の一意のインデックスと、
ユーザ固有のオフセットと、
前記物理アップリンク制御チャネルリソースサブセット中の物理アップリンク制御チャネルリソースの数と、
に基づいて、１つまたは複数の物理ダウンリンク制御チャネル候補ごとに、ハイブリッド自動再送要求確認応答フィードバックに対する前記物理アップリンク制御チャネルリソースサブセット中の物理アップリンク制御チャネルリソースを決定する手段と、
前記物理アップリンク制御チャネルリソースサブセット内の物理アップリンク制御チャネルリソースを選択するとともに、前記選択された物理アップリンク制御チャネルリソースに基づいて、ダウンリンク割当てを送信する物理ダウンリンク制御チャネル候補を決定する手段と、
前記決定された物理ダウンリンク制御チャネル候補上で前記確認応答リソースインジケータを含む前記ダウンリンク割当てを送信する手段と、
前記選択された物理アップリンク制御チャネルリソース上で確認応答フィードバックを受信する手段と、
を備えた装置。
【請求項１９】
少なくとも１つのプロセッサと、
コンピュータプログラムコードを含む少なくとも１つの持続性メモリと、
を備えた装置であって、
前記少なくとも１つの持続性メモリおよび前記コンピュータプログラムコードが、前記少なくとも１つのプロセッサによって、
確認応答リソースインジケータを選択するとともに、物理アップリンク制御チャネルリソースサブセットを決定することと、
制御リソースセットにおける検索空間セット中の制御チャネルエレメントを１つまたは複数の制御チャネルエレメントサブセットに分離するとともに、前記１つまたは複数の制御チャネルエレメントサブセットごとにインデックスを決定することであり、前記１つまたは複数の制御チャネルエレメントサブセットの数が、前記物理アップリンク制御チャネルリソースサブセット中の物理アップリンク制御チャネルリソースの数によって決まる、ことと、
前記１つまたは複数の制御チャネルエレメントサブセットそれぞれにおいて、前記制御リソースセットにおける前記検索空間セット中の１つまたは複数の候補の物理ダウンリンク制御チャネル候補インデックスおよびアグリゲーションレベルに基づいて、一意のインデックスを決定することと、
前記物理ダウンリンク制御チャネル候補の開始制御チャネルエレメントを含む制御チャネルエレメントサブセットインデックスと、
前記物理ダウンリンク制御チャネル候補の前記開始制御チャネルエレメントを含む前記制御チャネルエレメントサブセットインデックス内の一意のインデックスと、
ユーザ固有のオフセットと、
前記物理アップリンク制御チャネルリソースサブセット中の物理アップリンク制御チャネルリソースの数と、
に基づいて、１つまたは複数の物理ダウンリンク制御チャネル候補ごとに、ハイブリッド自動再送要求確認応答フィードバックに対する前記物理アップリンク制御チャネルリソースサブセット中の物理アップリンク制御チャネルリソースを決定することと、
前記物理アップリンク制御チャネルリソースサブセット内の物理アップリンク制御チャネルリソースを選択するとともに、前記選択された物理アップリンク制御チャネルリソースに基づいて、ダウンリンク割当てを送信する物理ダウンリンク制御チャネル候補を決定することと、
前記決定された物理ダウンリンク制御チャネル候補上で前記確認応答リソースインジケータを含む前記ダウンリンク割当てを送信することと、
前記選択された物理アップリンク制御チャネルリソース上で確認応答フィードバックを受信可能にすることと、
を当該装置に行わせるように構成された、装置。
【請求項２０】
機械により可読で、前記機械による実行によって、
確認応答リソースインジケータを選択するとともに、物理アップリンク制御チャネルリソースサブセットを決定することと、
制御リソースセットにおける検索空間セット中の制御チャネルエレメントを１つまたは複数の制御チャネルエレメントサブセットに分離するとともに、前記１つまたは複数の制御チャネルエレメントサブセットごとにインデックスを決定することであり、前記１つまたは複数の制御チャネルエレメントサブセットの数が、前記物理アップリンク制御チャネルリソースサブセット中の物理アップリンク制御チャネルリソースの数によって決まる、ことと、
前記１つまたは複数の制御チャネルエレメントサブセットそれぞれにおいて、前記制御リソースセットにおける前記検索空間セット中の１つまたは複数の候補の物理ダウンリンク制御チャネル候補インデックスおよびアグリゲーションレベルに基づいて、一意のインデックスを決定することと、
前記物理ダウンリンク制御チャネル候補の開始制御チャネルエレメントを含む制御チャネルエレメントサブセットインデックスと、
前記物理ダウンリンク制御チャネル候補の前記開始制御チャネルエレメントを含む前記制御チャネルエレメントサブセットインデックス内の一意のインデックスと、
ユーザ固有のオフセットと、
前記物理アップリンク制御チャネルリソースサブセット中の物理アップリンク制御チャネルリソースの数と、
に基づいて、１つまたは複数の物理ダウンリンク制御チャネル候補ごとに、ハイブリッド自動再送要求確認応答フィードバックに対する前記物理アップリンク制御チャネルリソースサブセット中の物理アップリンク制御チャネルリソースを決定することと、
前記物理アップリンク制御チャネルリソースサブセット内の物理アップリンク制御チャネルリソースを選択するとともに、前記選択された物理アップリンク制御チャネルリソースに基づいて、ダウンリンク割当てを送信する物理ダウンリンク制御チャネル候補を決定することと、
前記決定された物理ダウンリンク制御チャネル候補上で前記確認応答リソースインジケータを含む前記ダウンリンク割当てを送信することと、
前記選択された物理アップリンク制御チャネルリソース上で確認応答フィードバックを受信可能にすることと、
を含む動作を実行可能な命令のプログラムを明確に具体化した持続性プログラム記憶装置。
【請求項２１】
ダウンリンク割当てを受信するとともに、前記受信されたダウンリンク割当てから、確認応答リソースインジケータを抽出することと、
前記抽出された確認応答リソースインジケータから、物理アップリンク制御チャネルリソースサブセットを決定することと、
前記ダウンリンク割当てがデコード化された制御リソースセットにおける検索空間セット中の物理ダウンリンク制御チャネル候補インデックスおよび開始制御チャネルエレメントを決定することと、
前記制御リソースセットにおける前記検索空間セット中の制御チャネルエレメントを１つまたは複数の制御チャネルエレメントサブセットに分離するとともに、前記１つまたは複数の制御チャネルエレメントサブセットごとにインデックスを決定することであり、前記１つまたは複数の制御チャネルエレメントサブセットの数が、前記物理アップリンク制御チャネルリソースサブセット中の物理アップリンク制御チャネルリソースの数によって決まる、ことと、
前記１つまたは複数の制御チャネルエレメントサブセットそれぞれにおいて、前記物理ダウンリンク制御チャネル候補インデックスに対する一意の候補インデックスおよび物理ダウンリンク制御チャネル候補のアグリゲーションレベルを決定することと、
前記開始制御チャネルエレメントを含む制御チャネルエレメントサブセットインデックスと、
前記物理ダウンリンク制御チャネル候補の前記開始制御チャネルエレメントを含む前記制御チャネルエレメントサブセットインデックス内の一意の候補インデックスと、
ユーザ固有のオフセットと、
前記物理アップリンク制御チャネルリソースサブセット内の物理アップリンク制御チャネルリソースの数と、
に基づいて、ハイブリッド自動再送要求確認応答フィードバックに対する前記物理アップリンク制御チャネルリソースサブセット内の物理アップリンク制御チャネルリソースを決定することと、
前記決定された物理アップリンク制御チャネルリソース上でハイブリッド自動再送要求確認応答を送信することと、
を含む方法。
【請求項２２】
ダウンリンク割当てを受信するとともに、前記受信されたダウンリンク割当てから、確認応答リソースインジケータを抽出する手段と、
前記抽出された確認応答リソースインジケータから、物理アップリンク制御チャネルリソースサブセットを決定する手段と、
前記ダウンリンク割当てがデコード化された制御リソースセットにおける検索空間セット中の物理ダウンリンク制御チャネル候補インデックスおよび開始制御チャネルエレメントを決定する手段と、
前記制御リソースセットにおける前記検索空間セット中の制御チャネルエレメントを１つまたは複数の制御チャネルエレメントサブセットに分離するとともに、前記１つまたは複数の制御チャネルエレメントサブセットごとにインデックスを決定する手段であり、前記１つまたは複数の制御チャネルエレメントサブセットの数が、前記物理アップリンク制御チャネルリソースサブセット中の物理アップリンク制御チャネルリソースの数によって決まる、手段と、
前記１つまたは複数の制御チャネルエレメントサブセットそれぞれにおいて、前記物理ダウンリンク制御チャネル候補インデックスに対する一意の候補インデックスおよび物理ダウンリンク制御チャネル候補のアグリゲーションレベルを決定する手段と、
前記開始制御チャネルエレメントを含む制御チャネルエレメントサブセットインデックスと、
前記物理ダウンリンク制御チャネル候補の前記開始制御チャネルエレメントを含む前記制御チャネルエレメントサブセットインデックス内の一意の候補インデックスと、
ユーザ固有のオフセットと、
前記物理アップリンク制御チャネルリソースサブセット内の物理アップリンク制御チャネルリソースの数と、
に基づいて、ハイブリッド自動再送要求確認応答フィードバックに対する前記物理アップリンク制御チャネルリソースサブセット内の物理アップリンク制御チャネルリソースを決定する手段と、
前記決定された物理アップリンク制御チャネルリソース上でハイブリッド自動再送要求確認応答を送信する手段と、
を備えた装置。
【請求項２３】
少なくとも１つのプロセッサと、
コンピュータプログラムコードを含む少なくとも１つの持続性メモリと、
を備えた装置であって、
前記少なくとも１つの持続性メモリおよび前記コンピュータプログラムコードが、前記少なくとも１つのプロセッサによって、
ダウンリンク割当ての受信に少なくとも部分的に基づいて、前記受信されたダウンリンク割当てから、確認応答リソースインジケータを抽出することと、
前記抽出された確認応答リソースインジケータから、物理アップリンク制御チャネルリソースサブセットを決定することと、
前記ダウンリンク割当てがデコード化された制御リソースセットにおける検索空間セット中の物理ダウンリンク制御チャネル候補インデックスおよび開始制御チャネルエレメントを決定することと、
前記制御リソースセットにおける前記検索空間セット中の制御チャネルエレメントを１つまたは複数の制御チャネルエレメントサブセットに分離するとともに、前記１つまたは複数の制御チャネルエレメントサブセットごとにインデックスを決定することであり、前記１つまたは複数の制御チャネルエレメントサブセットの数が、前記物理アップリンク制御チャネルリソースサブセット中の物理アップリンク制御チャネルリソースの数によって決まる、ことと、
前記１つまたは複数の制御チャネルエレメントサブセットそれぞれにおいて、前記物理ダウンリンク制御チャネル候補インデックスに対する一意の候補インデックスおよび物理ダウンリンク制御チャネル候補のアグリゲーションレベルを決定することと、
前記開始制御チャネルエレメントを含む制御チャネルエレメントサブセットインデックスと、
前記物理ダウンリンク制御チャネル候補の前記開始制御チャネルエレメントを含む前記制御チャネルエレメントサブセットインデックス内の一意の候補インデックスと、
ユーザ固有のオフセットと、
前記物理アップリンク制御チャネルリソースサブセット内の物理アップリンク制御チャネルリソースの数と、
に基づいて、ハイブリッド自動再送要求確認応答フィードバックに対する前記物理アップリンク制御チャネルリソースサブセット内の物理アップリンク制御チャネルリソースを決定することと、
前記決定された物理アップリンク制御チャネルリソース上でハイブリッド自動再送要求確認応答を送信することと、
を当該装置に行わせるように構成された、装置。
【請求項２４】
機械により可読で、前記機械による実行によって、
ダウンリンク割当ての受信に少なくとも部分的に基づいて、前記受信されたダウンリンク割当てから、確認応答リソースインジケータを抽出することと、
前記抽出された確認応答リソースインジケータから、物理アップリンク制御チャネルリソースサブセットを決定することと、
前記ダウンリンク割当てがデコード化された制御リソースセットにおける検索空間セット中の物理ダウンリンク制御チャネル候補インデックスおよび開始制御チャネルエレメントを決定することと、
前記制御リソースセットにおける前記検索空間セット中の制御チャネルエレメントを１つまたは複数の制御チャネルエレメントサブセットに分離するとともに、前記１つまたは複数の制御チャネルエレメントサブセットごとにインデックスを決定することであり、前記１つまたは複数の制御チャネルエレメントサブセットの数が、前記物理アップリンク制御チャネルリソースサブセット中の物理アップリンク制御チャネルリソースの数によって決まる、ことと、
前記１つまたは複数の制御チャネルエレメントサブセットそれぞれにおいて、前記物理ダウンリンク制御チャネル候補インデックスに対する一意の候補インデックスおよび物理ダウンリンク制御チャネル候補のアグリゲーションレベルを決定することと、
前記開始制御チャネルエレメントを含む制御チャネルエレメントサブセットインデックスと、
前記物理ダウンリンク制御チャネル候補の前記開始制御チャネルエレメントを含む前記制御チャネルエレメントサブセットインデックス内の一意の候補インデックスと、
ユーザ固有のオフセットと、
前記物理アップリンク制御チャネルリソースサブセット内の物理アップリンク制御チャネルリソースの数と、
に基づいて、ハイブリッド自動再送要求確認応答フィードバックに対する前記物理アップリンク制御チャネルリソースサブセット内の物理アップリンク制御チャネルリソースを決定することと、
前記決定された物理アップリンク制御チャネルリソース上でハイブリッド自動再送要求確認応答を送信することと、
を含む動作を実行可能な命令のプログラムを明確に具体化した持続性プログラム記憶装置。
【請求項２５】
前記検索空間セットが、
ダウンリンク制御情報のフォーマットと、
前記ダウンリンク制御情報のフォーマットサイズと、
巡回冗長検査に用いられる無線ネットワーク一時識別子と、
前記ダウンリンク制御情報において搬送される識別子と、
のうちの１つに基づいて決定される、請求項１、９、または２１に記載の方法。
【請求項２６】
前記検索空間セットが、
ダウンリンク制御情報のフォーマットと、
前記ダウンリンク制御情報のフォーマットサイズと、
巡回冗長検査に用いられる無線ネットワーク一時識別子と、
前記ダウンリンク制御情報において搬送される識別子と、
のうちの１つに基づいて決定される、請求項２、３、１０、１１、２２、または２３に記載の装置。
【請求項２７】
前記検索空間セットが、
ダウンリンク制御情報のフォーマットと、
前記ダウンリンク制御情報のフォーマットサイズと、
巡回冗長検査に用いられる無線ネットワーク一時識別子と、
前記ダウンリンク制御情報において搬送される識別子と、
のうちの１つに基づいて決定される、請求項４、１２、または２４に記載の持続性プログラム記憶装置。
【請求項２８】
前記一意のインデックスを決定することが、最も高いアグリゲーションレベルで開始することを含む、請求項５または１７に記載の方法。
【請求項２９】
前記一意の候補インデックスを決定することが、最も高いアグリゲーションレベルで開始することを含む、請求項１、２１、または２５に記載の方法。
【請求項３０】
前記一意のインデックスの決定が、最も高いアグリゲーションレベルで開始することを当該装置に行わせることを含む、請求項６、７、１８、または１９に記載の装置。
【請求項３１】
前記一意の候補インデックスの決定が、最も高いアグリゲーションレベルで開始することを当該装置に行わせることを含む、請求項２、３、２２、２３、または２６に記載の装置。
【請求項３２】
前記一意のインデックスを決定することが、最も高いアグリゲーションレベルで開始することを含む、請求項８または２０に記載の持続性プログラム記憶装置。
【請求項３３】
前記一意の候補インデックスを決定することが、最も高いアグリゲーションレベルで開始することを含む、請求項４、２４、または２７に記載の持続性プログラム記憶装置。
【請求項３４】
前記一意のインデックスを決定することが、最も低いアグリゲーションレベルで開始することを含む、請求項５または１７に記載の方法。
【請求項３５】
前記一意の候補インデックスを決定することが、最も低いアグリゲーションレベルで開始することを含む、請求項１、２１、または２５に記載の方法。
【請求項３６】
前記一意のインデックスの決定が、最も低いアグリゲーションレベルで開始することを当該装置に行わせることを含む、請求項６、７、１８、または１９に記載の装置。
【請求項３７】
前記一意の候補インデックスの決定が、最も低いアグリゲーションレベルで開始することを当該装置に行わせることを含む、請求項２、３、２２、２３、または２６に記載の装置。
【請求項３８】
前記一意のインデックスを決定することが、最も低いアグリゲーションレベルで開始することを含む、請求項８または２０に記載の持続性プログラム記憶装置。
【請求項３９】
前記一意の候補インデックスを決定することが、最も低いアグリゲーションレベルで開始することを含む、請求項４、２４、または２７に記載の持続性プログラム記憶装置。
【請求項４０】
前記物理アップリンク制御チャネルリソースサブセット内の物理アップリンク制御チャネルリソースを選択することが、前記物理アップリンク制御チャネルリソースサブセット内の第１の物理アップリンク制御チャネルリソースが占有されるものと決定することを含む、請求項５、１３、１７、２８、または３４に記載の方法。
【請求項４１】
前記物理アップリンク制御チャネルリソースサブセット内の物理アップリンク制御チャネルリソースの選択が、前記物理アップリンク制御チャネルリソースサブセット内の第１の物理アップリンク制御チャネルリソースが占有されるものと決定することを当該装置に行わせること含む、請求項６、７、１４、１５、１８、１９、３０、または３６に記載の装置。
【請求項４２】
前記物理アップリンク制御チャネルリソースサブセット内の物理アップリンク制御チャネルリソースを選択することが、前記物理アップリンク制御チャネルリソースサブセット内の第１の物理アップリンク制御チャネルリソースが占有されるものと決定することを含む、請求項８、１６、２０、３２、または３８に記載の持続性プログラム記憶装置。
【請求項４３】
前記一意のインデックスが、前記１つまたは複数の物理ダウンリンク制御チャネル候補の優先順位に少なくとも部分的に基づいて決定される、請求項５、１７、２８、または３４に記載の方法。
【請求項４４】
前記一意のインデックスが、前記１つまたは複数の物理ダウンリンク制御チャネル候補の優先順位に少なくとも部分的に基づいて決定される、請求項６、７、１８、１９、３０、または３６に記載の装置。
【請求項４５】
前記一意のインデックスが、前記１つまたは複数の物理ダウンリンク制御チャネル候補の優先順位に少なくとも部分的に基づいて決定される、請求項８、２０、３２、または３８に記載の持続性プログラム記憶装置。
【請求項４６】
前記ユーザ固有のオフセットが、非ゼロ値である、請求項５、１７、２８、３４、または４３に記載の方法。
【請求項４７】
前記ユーザ固有のオフセットが、非ゼロ値である、請求項１または２１に記載の方法。
【請求項４８】
前記ユーザ固有のオフセットが、非ゼロ値である、請求項６、７、１８、１９、３０、３６、または４４に記載の装置。
【請求項４９】
前記ユーザ固有のオフセットが、非ゼロ値である、請求項２、３、２２、または２３に記載の装置。
【請求項５０】
前記ユーザ固有のオフセットが、非ゼロ値である、請求項８、２０、３２、３８、または４５に記載の持続性プログラム記憶装置。
【請求項５１】
前記ユーザ固有のオフセットが、非ゼロ値である、請求項４または２４に記載の持続性プログラム記憶装置。
【請求項５２】
前記ユーザ固有のオフセットが、ゼロである、請求項５、１７、２８、３４、または４３に記載の方法。
【請求項５３】
前記ユーザ固有のオフセットが、ゼロである、請求項１または２１に記載の方法。
【請求項５４】
前記ユーザ固有のオフセットが、ゼロである、請求項６、７、１８、１９、３０、３６、または４４に記載の装置。
【請求項５５】
前記ユーザ固有のオフセットが、ゼロである、請求項２、３、２２、または２３に記載の装置。
【請求項５６】
前記ユーザ固有のオフセットが、ゼロである、請求項８、２０、３２、３８、または４５に記載の持続性プログラム記憶装置。
【請求項５７】
前記ユーザ固有のオフセットが、ゼロである、請求項４または２４に記載の持続性プログラム記憶装置。
【請求項５８】
前記一意のインデックスが、前記検索空間セットにおいて一意である、請求項５、１７、２８、３４、４３、４６、または５２に記載の方法。
【請求項５９】
前記一意のインデックスが、前記検索空間セットにおいて一意である、請求項６、７、１８、１９、３０、３６、４４、４８、または５４に記載の装置。
【請求項６０】
前記一意のインデックスが、前記検索空間セットにおいて一意である、請求項８、２０、３２、３８、４５、５０、または５６に記載の持続性プログラム記憶装置。
【請求項６１】
制御チャネルエレメントサブセットごとに帯域固有のオフセットを決定することをさらに含み、前記１つまたは複数の物理ダウンリンク制御チャネル候補ごとに、ハイブリッド自動再送要求確認応答フィードバックに対する前記物理アップリンク制御チャネルリソースサブセット中の物理アップリンク制御チャネルリソースを決定することが、前記物理ダウンリンク制御チャネル候補の前記開始制御チャネルエレメントを含む前記制御チャネルエレメントサブセットインデックスの帯域固有のオフセットにさらに基づく、請求項１７または２１に記載の方法。
【請求項６２】
制御チャネルエレメントサブセットごとに帯域固有のオフセットを決定することを当該装置に行わせることをさらに含み、前記１つまたは複数の物理ダウンリンク制御チャネル候補ごとの、ハイブリッド自動再送要求確認応答フィードバックに対する前記物理アップリンク制御チャネルリソースサブセット中の物理アップリンク制御チャネルリソースの決定が、前記物理ダウンリンク制御チャネル候補の前記開始制御チャネルエレメントを含む前記制御チャネルエレメントサブセットインデックスの帯域固有のオフセットにさらに基づく、請求項１８、１９、２２、または２３に記載の装置。
【請求項６３】
制御チャネルエレメントサブセットごとに帯域固有のオフセットを決定することをさらに含み、前記１つまたは複数の物理ダウンリンク制御チャネル候補ごとに、ハイブリッド自動再送要求確認応答フィードバックに対する前記物理アップリンク制御チャネルリソースサブセット中の物理アップリンク制御チャネルリソースを決定することが、前記物理ダウンリンク制御チャネル候補の前記開始制御チャネルエレメントを含む前記制御チャネルエレメントサブセットインデックスの帯域固有のオフセットにさらに基づく、請求項２０または２４に記載の持続性プログラム記憶装置。
【請求項６４】
前記一意のインデックスが、マッピングされた前記１つまたは複数の物理ダウンリンク制御チャネル候補の数に少なくとも部分的に基づいて決定される、請求項５、１７、２８、または３４に記載の方法。
【請求項６５】
前記一意のインデックスが、マッピングされた前記１つまたは複数の物理ダウンリンク制御チャネル候補の数に少なくとも部分的に基づいて決定される、請求項６、７、１８、１９、３０、または３６に記載の装置。
【請求項６６】
前記一意のインデックスが、マッピングされた前記１つまたは複数の物理ダウンリンク制御チャネル候補の数に少なくとも部分的に基づいて決定される、請求項８、２０、３２、または３８に記載の持続性プログラム記憶装置。
【発明の詳細な説明】
【技術分野】
【０００１】
例示的かつ非限定的な実施形態は、一般的には物理アップリンク制御チャネルリソースに関し、より詳細には、これらリソースの選択に関する。
【背景技術】
【０００２】
ハイブリッド自動再送要求確認応答（ＨＡＲＱ−ＡＣＫ）の伝送に使用する物理アップリンク制御チャネル（ＰＵＣＣＨ）リソースを示すシグナリングを使用することが知られている。米国特許出願公開第２０１１／０２４３０９０号および第２０１６／００３７５４３号のすべての内容を参照により本明細書に援用する。
【発明の概要】
【０００３】
本明細書および／または図面に見られる以下の略語は、次のように定義される。
３ＧＰＰ  第３世代パートナーシッププロジェクト
ＡＬ  アグリゲーションレベル
ＡＲＩ  ＡＣＫ／ＮＡＣＫリソースインジケータ
ＢＤ  ブラインドデコード化
ＣＣＥ  制御チャネルエレメント
ＣＲＣ  巡回冗長検査
ＤＣＩ  ダウンリンク制御情報
ｅＮＢ（または、ｅＮｏｄｅＢ）  エボルブドノードＢ（たとえば、ＬＴＥ基地局）
ｇＮＢ  第５世代ノードＢ
ＨＡＲＱ−ＡＣＫ  ハイブリッド自動再送要求確認応答
Ｉ／Ｆ  インターフェース
ＬＴＥ  ロングタームエボリューション
ＭＭＥ  モビリティ管理エンティティ
ＮＣＥ  ネットワーク制御エレメント
ＮＲ  新無線
Ｎ／Ｗ  ネットワーク
ＰＤＣＣＨ  物理ダウンリンク制御チャネル
ＰＵＣＣＨ  物理アップリンク制御チャネル
ＲＮＴＩ  無線ネットワーク一時識別子
ＲＲＨ  リモート無線ヘッド
Ｒｘ  受信機
ＳＧＷ  サービングゲートウェイ
Ｔｘ  送信機
ＵＥ  ユーザ機器（たとえば、無線機器（通常、モバイル機器））
【０００４】
上記態様および他の特徴については、添付の図面に関して、以下の記述にて説明する。
【図面の簡単な説明】
【０００５】
【図１】例示的な実施形態を実現可能な１つの考え得る非限定的な例示的システムを示した図である。
【図２】暗示的マッピングの１つの例示的な方法におけるいくつかの特徴を示した図である。
【図３】１つの例示的な方法に基づく候補インデックス決定の一例を示した表である。
【図４】１つの例示的な方法に基づくＰＵＣＣＨリソースｒ決定の一例を示した表である。
【図５】１つの例示的な方法に基づくＰＵＣＣＨリソースｒ決定の一例を示した表である。
【図６】１つの例示的な方法に基づくＰＵＣＣＨリソースｒ決定の一例を示した表である。
【図７】１つの例示的な方法に基づくＰＵＣＣＨリソースｒ決定の一例を示した表である。
【図８】暗示的マッピングの１つの例示的な方法におけるいくつかの特徴を示した図である。
【図９】１つの例示的な方法に基づくＰＤＣＣＨ候補インデックスおよびＰＵＣＣＨリソースｒの決定の一例を示した表である。
【図１０】１つの例示的な方法を示した図である。
【図１１】１つの例示的な方法を示した図である。
【発明を実施するための形態】
【０００６】
図１を参照して、この図は、例示的な実施形態を実現可能な１つの考え得る非限定的な例示的システムのブロック図である。図１においては、ユーザ機器（ＵＥ）１１０が無線ネットワーク１００と無線通信している。ＵＥ１１０は、無線ネットワークにアクセス可能な無線機器、通常はモバイル機器である。ＵＥ１１０は、１つまたは複数のプロセッサ１２０と、１つまたは複数のメモリ１２５と、１つまたは複数のバス１２７を通じて相互接続された１つまたは複数の送受信機１３０とを具備する。１つまたは複数の送受信機１３０はそれぞれ、受信機（Ｒｘ）１３２および送信機（Ｔｘ）１３３を具備する。１つまたは複数のバス１２７は、アドレスバスであってもよいし、データバスであってもよいし、制御バスであってもよく、また、マザーボードもしくは集積回路上の一連のライン、光ファイバ、または他の光通信機器等、如何なる相互接続機構を含んでいてもよい。１つまたは複数の送受信機１３０は、１つまたは複数のアンテナ１２８に接続されている。１つまたは複数のメモリ１２５は、コンピュータプログラムコード１２３を含む。ＵＥ１１０は、多くの方法で実装可能な部品１４０−１および／または１４０−２の一方または両方を含む制限モジュール１４０を具備する。制限モジュール１４０は、１つまたは複数のプロセッサ１２０の一部としての実装等、制限モジュール１４０−１としてハードウェアに実装されていてもよい。また、制限モジュール１４０−１は、集積回路として実装されていてもよいし、プログラマブルゲートアレイ等の他のハードウェアによって実装されていてもよい。別の例において、制限モジュール１４０は、コンピュータプログラムコード１２３として実装され、１つまたは複数のプロセッサ１２０により実行される制限モジュール１４０−２として実装されていてもよい。たとえば、１つまたは複数のメモリ１２５およびコンピュータプログラムコード１２３は、１つまたは複数のプロセッサ１２０によって、本明細書に記載の動作のうちの１つまたは複数をＵＥ１１０に実行させるように構成されていてもよい。ＵＥ１１０は、無線リンク１１１を介してｇＮＢ／ｅＮＢ１７０（以下、ｇＮＢ１７０と総称する）と通信する。
【０００７】
ｇＮＢ１７０は、ＵＥ１１０等の無線機器による無線ネットワーク１００へのアクセスを提供する（たとえば、５Ｇ／ＬＴＥ用の）基地局である。ｇＮＢ１７０は、１つまたは複数のプロセッサ１５２と、１つまたは複数のメモリ１５５と、１つまたは複数のネットワークインターフェース（Ｎ／Ｗ  Ｉ／Ｆ）１６１と、１つまたは複数のバス１５７を通じて相互接続された１つまたは複数の送受信機１６０とを具備する。１つまたは複数の送受信機１６０はそれぞれ、受信機（Ｒｘ）１６２および送信機（Ｔｘ）１６３を具備する。１つまたは複数の送受信機１６０は、１つまたは複数のアンテナ１５８に接続されている。１つまたは複数のメモリ１５５は、コンピュータプログラムコード１５３を含む。ｇＮＢ１７０は、多くの方法で実装可能な部品１５０−１および／または１５０−２の一方または両方を含む設定モジュール１５０を具備する。設定モジュール１５０は、１つまたは複数のプロセッサ１５２の一部としての実装等、設定モジュール１５０−１としてハードウェアに実装されていてもよい。また、設定モジュール１５０−１は、集積回路として実装されていてもよいし、プログラマブルゲートアレイ等の他のハードウェアによって実装されていてもよい。別の例において、設定モジュール１５０は、コンピュータプログラムコード１５３として実装され、１つまたは複数のプロセッサ１５２により実行される設定モジュール１５０−２として実装されていてもよい。たとえば、１つまたは複数のメモリ１５５およびコンピュータプログラムコード１５３は、１つまたは複数のプロセッサ１５２によって、本明細書に記載の動作のうちの１つまたは複数をｇＮＢ１７０に実行させるように構成されている。１つまたは複数のネットワークインターフェース１６１は、リンク１７６および１３１等のネットワークを介して通信する。たとえばリンク１７６を用いて、２つ以上のｇＮＢ１７０が通信する。リンク１７６は、有線であってもよいし、無線であってもよいし、その両者であってもよく、たとえばＸ２インターフェースを実現可能である。
【０００８】
１つまたは複数のバス１５７は、アドレスバスであってもよいし、データバスであってもよいし、制御バスであってもよく、また、マザーボードもしくは集積回路上の一連のライン、光ファイバまたはその他の光通信機器、無線チャネル等、如何なる相互接続機構を含んでいてもよい。たとえば、１つまたは複数の送受信機１６０は、ｇＮＢ１７０のその他の要素が物理的に異なる場所に存在するリモート無線ヘッド（ＲＲＨ）１９５として実装されていてもよく、１つまたは複数のバス１５７は、ｇＮＢ１７０のその他の要素をＲＲＨ１９５に接続する光ファイバケーブルとして、一部を実装することも可能である。
【０００９】
なお、本明細書の説明では、「セル」が機能を実行するものとして示すが、セルを構成するｇＮＢが当該機能を実行することは明らかである。セルは、ｇＮＢの一部を構成する。すなわち、ｇＮＢ当たり複数のセルが存在し得る。たとえば、単一のｇＮＢキャリア周波数および関連する帯域幅に対して３つのセルが存在することも可能であり、単一のｇＮＢのカバレッジエリアが略長円形または略円形を網羅するように、各セルが３６０°エリアの１／３を網羅している。さらに、各セルが単一のキャリアに対応可能であり、ｇＮＢが複数のキャリアを使用するようにしてもよい。このため、キャリア当たり３つの１２０°セルおよび２つのキャリアが存在する場合、ｇＮＢは、合計６つのセルを有する。
【００１０】
無線ネットワーク１００は、ＭＭＥ（モビリティ管理エンティティ）および／またはＳＧＷ（サービングゲートウェイ）機能を含み得る１つまたは複数のネットワーク制御エレメント（ＮＣＥ）１９０を具備していてもよく、電話ネットワークおよび／またはデータ通信ネットワーク（たとえば、インターネット）等の別のネットワークとの接続性を提供する。ｇＮＢ１７０は、リンク１３１を介してＮＣＥ１９０に結合されている。リンク１３１は、たとえばＳ１インターフェースとして実装されていてもよい。５Ｇ無線システムの場合、リンク１３１は、たとえばＮＧ２またはＮＧ３等の５Ｇインターフェースを表していてもよい。ＮＣＥ１９０は、１つまたは複数のプロセッサ１７５と、１つまたは複数のメモリ１７１と、１つまたは複数のバス１８５を通じて相互接続された１つまたは複数のネットワークインターフェース（Ｎ／Ｗ  Ｉ／Ｆ）１８０とを具備する。１つまたは複数のメモリ１７１は、コンピュータプログラムコード１７３を含む。１つまたは複数のメモリ１７１およびコンピュータプログラムコード１７３は、１つまたは複数のプロセッサ１７５によって、１つまたは複数の動作をＮＣＥ１９０に実行させるように構成されている。
【００１１】
当業者には当然のことながら、図１に示すさまざまなネットワーク要素は、５Ｇ無線ネットワーク等の別の無線ネットワークにおいて、異なる実装がなされていてもよい。たとえば、ＮＣＥ、ＭＭＥ、およびＳＧＷという用語は、ＬＴＥネットワークにおけるコア要素に対して一般的に用いられる用語である。ＬＴＥとは対照的に、別の無線ネットワークでは、複数の協働機器によって、ネットワーク機能（ＮＦ）を実行可能である。さまざまなＮＦとしては、たとえばアクセス・モビリティ機能（ＡＭＦ）、セッション管理機能（ＳＭＦ）、ポリシー制御機能（ＰＣＦ）、アプリケーション機能（ＡＦ）、認証サーバ機能（ＡＵＳＦ）、ユーザプレーン機能（ＵＰＦ）、およびユーザデータ管理（ＵＤＭ）が挙げられる。これらのＮＦは、クラウドインフラ等の適当なプラットフォーム上に例示化された仮想化機能であってもよい。たとえば、クラウドインフラにおける１つまたは複数の集中ユニット（ＣＵ）によって特定のプロトコル（たとえば、非実時間プロトコル等）が実行される一方、１つまたは複数の分散ユニット（ＤＵ）が５Ｇ無線インターフェースのその他のプロトコル（たとえば、実時間プロトコル）を動作させるようにしてもよい。このように、さまざまなＮＦがＣＵとＤＵとの間で分割されていてもよい。同時に、（たとえば、図１においてｇＮＢ１７０により表し得る）論理的な基地局を構成するものとして、ＣＵ、下層のＤＵ、およびＲＲＨが考えられる。
【００１２】
無線ネットワーク１００は、ハードウェアおよびソフトウェアネットワークリソースならびにネットワーク機能を単一のソフトウェアベースの管理エンティティ（仮想ネットワーク）として結合するプロセスであるネットワーク仮想化を実施するようにしてもよい。ネットワーク仮想化には、リソース仮想化と結合されることが多いプラットフォーム仮想化を伴う。ネットワーク仮想化は、多くのネットワークもしくはその一部を仮想ユニットとして結合する外部またはネットワークのような機能を単一のシステム上のソフトウェアコンテナに提供する内部として分類される。なお、ネットワーク仮想化の結果としての仮想化エンティティは、プロセッサ１５２もしくは１７５ならびにメモリ１５５もしくは１７１等のハードウェアを用いて、何らかのレベルで依然として実装されており、また、技術的効果をもたらす。
【００１３】
コンピュータ可読メモリ１２５、１５５、および１７１は、局所的な技術環境に適した如何なる種類のものであってもよく、また、半導体ベースのメモリデバイス、フラッシュメモリ、磁気メモリデバイスおよびシステム、光メモリデバイスおよびシステム、固定メモリおよびリムーバブルメモリ等、任意好適なデータ格納技術を用いて実装されていてもよい。コンピュータ可読メモリ１２５、１５５、および１７１は、格納機能を実行する手段であってもよい。プロセッサ１２０、１５２、および１７５は、局所的な技術環境に適した如何なる種類のものであってもよく、また、非限定的な例として、汎用コンピュータ、専用コンピュータ、マイクロプロセッサ、デジタル信号プロセッサ（ＤＳＰ）、およびマルコチアプロセッサアーキテクチャに基づくプロセッサのうちの１つまたは複数を含んでいてもよい。プロセッサ１２０、１５２、および１７５は、ＵＥ１１０、ｇＮＢ１７０の制御等の機能、および本明細書に記載の他の機能を実行する手段であってもよい。
【００１４】
一般的に、ＵＥ１１０の種々例示的な実施形態としては、スマートフォン等の携帯電話、タブレット、無線通信機能を有する個人用デジタル補助装置（ＰＤＡ）、無線通信機能を有する携帯型コンピュータ、無線通信機能を有するデジタルカメラ等の画像取り込み装置、無線通信機能を有するゲーム機器、無線通信機能を有する音楽格納・再生家電、無線インターネットアクセスおよびブラウジングを可能にするインターネット家電、無線通信機能を有するタブレット、ならびにこのような機能の組み合わせを具現化する携帯型ユニットもしくは端末等が挙げられるが、これらに限定されない。
【００１５】
本明細書に記載の特徴は、３ＧＰＰ新無線（ＮＲ）物理レイヤ設計および関連する３ＧＰＰ作業項目（ＷＩ）（ＲＰ−１７０８５５）に関して用いられるようになっていてもよい。この作業項目フェーズの目的は、たとえばＴＳ  ３８．９１３に記載されるような高度モバイルブロードバンド（ｅＭＢＢ）および超高信頼性低レイテンシ通信（ＵＲＬＬＣ）のためのＮＲ機能を規定することである。これは、たとえば最大５２．６ＧＨｚの周波数範囲を考慮するとともに、新たな使用事例のための新たな技術的構成要素の前方互換性および導入を考慮することであってもよい。本明細書に記載の特徴は、ＰＵＣＣＨリソースセットにおけるＰＵＣＣＨリソースの選択のための暗示的なマッピングルールに用いられるようになっていてもよい。また、本明細書に記載の特徴は、ブラインドデコード化（ＢＤ）欠損の問題に対処可能である。
【００１６】
ＰＵＣＣＨリソースセットに３２個のＰＵＣＣＨリソースが存在する場合は、ＨＡＲＱ−ＡＣＫの送信に使用するＰＵＣＣＨリソースの指定に５ビットが用いられるようになっていてもよい。ただし、ＮＲにおけるＡＣＫ／ＮＡＣＫリソースインジケータ（ＡＲＩ）の搬送に対しては、ＤＣＩに３つのビットしか存在しない。３２個のＰＵＣＣＨリソースを８個のＰＵＣＣＨリソースサブセットに分割して、各ＰＵＣＣＨリソースサブセットが４つのＰＵＣＣＨリソースを含むようにすることができる。３ビットＡＲＩの使用により、８つのＰＵＣＣＨリソースサブセットのうちの１つを選択可能である。そして、暗示的指定により、ＰＵＣＣＨリソースサブセットにおける４つのＰＵＣＣＨリソースのうちの１つを選択するようにしてもよい。少なくともＣＣＥインデックスの使用により、ＰＵＣＣＨリソースを暗示的に決定するようにしてもよい。以下は、１つの取り決めである。
ＤＣＩ  １＿０およびＤＣＩ  １＿１に対する３ビットＡＲＩ
ＮUCI≦２のリソースセットにおいて、少なくとも８つ（最大３２個）のＰＵＣＣＨリソースを設定可能である
設定リソースが８つを超える場合は、ＣＣＥインデックスベースの暗示的マッピングを追加で使用する
注記：ＲＲＣ値の増加は、８〜３２の範囲である
ＮUCI＞２のリソースセットにおいて、８つのＰＵＣＣＨリソースを設定する
暗示的マッピングなし
【００１７】
ＰＤＣＣＨに関して、ＮＲ規格における主な未解決の問題は、ＰＤＣＣＨ候補の割当て順序である。さらに、ＵＥのモニタリング能力を超える場合は、いくつかの候補がマッピングされない可能性があり、これもＢＤ欠損と称する。以下の取り決めがなされている。
ＰＤＣＣＨ候補のマッピングルールを規定する
少なくとも以下のルールとともに、（ブラインドデコードの数、チャネル推定のためのＣＣＥの数）の一方または両方の限界が満たされるまで、ＰＤＣＣＨ候補を検索空間セットにマッピングする
ＳＳタイプ順序（たとえば、ＣＳＳの後にＵＳＳ）
別途検討：検索空間セット／タイプにおける別のルール
【００１８】
ＰＵＣＣＨリソースを暗示的に決定するため、ＣＣＥインデックスに基づいて以下の方式が提案されている。
R1-1802840「Remaining issues for resource allocation for PUCCH」、Qualcomm、Athens Greece、Feb 2018においては、以下のマッピングルールが提案されている。
以下の式に応じた開始ＣＣＥインデックスによるマッピング
【数１】
2021520736.tif 000003
Ｍは、ＡＲＩビットにより示されるリソースサブセット中のＰＵＣＣＨリソースの数である
Ｃは、ＡＣＫバンドリングウィンドウ内で最も新しく受信されたＤＣＩの開始ＣＣＥインデックスである
ＣＡの場合、Ｃは、ＡＣＫバンドリングウィンドウ内の最新スロットにおける最小ＣＣ上で受信されたＤＣＩの開始ＣＣＥインデックスである
Ｌは、Ｃと関連付けられたＰＤＣＣＨのアグリゲーションレベルである
R1-1801628「Remaining issues for PUCCH resource allocation」、ZTE、Sanechips、Athens Greece、Feb 2018においては、以下のマッピングルールが提案されている。
サブセット内のＰＵＣＣＨリソースインデックスは、以下により暗示的に指定する
【数２】
2021520736.tif 000004
ここで、ｃ（ｎs）は、スロット番号（ｎs）から導出される疑似ランダム値であり、ｎCCEは、開始ＣＣＥインデックスである。上式は、ＰＵＣＣＨリソースサブセットが２つのＰＵＣＣＨリソースを有する場合である。
【００１９】
上記方式はいずれも、ＰＵＣＣＨの送信に使用するＰＵＣＣＨリソースサブセット内のリソースを見出すため、ＰＵＣＣＨリソースサブセット中のＰＵＣＣＨリソースの数を法として、アグリゲーションレベルで除したＣＣＥ開始インデックスの使用に依拠する。
【００２０】
ＰＵＣＣＨリソースサブセットは、以下のハッシング式に基づいて決定される（ＴＳ  ３８．２１３  第１０．１項）。
【数３】
2021520736.tif 000005
【００２１】
このハッシング式は、ＬＴＥにおけるＥＰＤＣＣＨ式と同じである（ただし原理上は、他のハッシング関数によっても同様に、本明細書に記載の特徴が適用され得る）。制御リソースセット（ＣＯＲＥＳＥＴ）におけるＣＣＥの集合は、
【数４】
2021520736.tif 000006
個のサブバンドに分割される。ここで、
【数５】
2021520736.tif 000007
は、ＣＯＲＥＳＥＴ  ｐにおける検索空間セットｓ中のＡＬ  Ｌに対して設定されたＰＤＣＣＨ候補の数である（
【数６】
2021520736.tif 000008
個の値の最大は、クロスキャリアスケジューリングの場合のコンポーネントキャリア全体で取得されるため、本明細書においては、
【数７】
2021520736.tif 000009
を
【数８】
2021520736.tif 000010
により置き換え可能である）。
【００２２】
これらの提案式および上記解決手段には、問題がある。これらでは、
【数９】
2021520736.tif 000011
個という多くの設定に対して、ＰＵＣＣＨリソースサブセット内の任意のＰＵＣＣＨリソースを柔軟に選択することができない。
たとえば、Ｌ＝２とすると、ＮCCE,p＝３２、
【数１０】
2021520736.tif 000012
であり、説明の簡素化のため他のパラメータを０と仮定すると、この場合、開始ＣＣＥは０、８、１６、および２４である。式
【数１１】
2021520736.tif 000013
に基づいて暗示的マッピングを使用するのは、不可能である。本例において、アグリゲーションレベルＬのＰＤＣＣＨ候補の数
【数１２】
2021520736.tif 000014
は、ＡＲＩビットにより示されるＰＵＣＣＨリソースサブセット中のＰＵＣＣＨリソースの数Ｍに等しく、ＣＯＲＥＳＥＴにおけるＣＣＥの数は、ＭおよびＬによって除算される。言い換えると、ＰＤＣＣＨ候補の数が十分に設定されていない場合は、ＰＵＣＣＨリソースの暗示的マッピングが衝突をもたらす可能性もある。一方、このことは、ＰＤＣＣＨ設定において、ＰＵＣＣＨに対する適正な暗示的マッピングルールを取得するように留意することの必要性を暗示している。その結果、ｇＮＢにおいては、設定が制限されることになる。これは明らかに、良い解決手段ではない。
【００２３】
本明細書においては、ＰＵＣＣＨリソースを暗示的に決定する方法を記載する。本明細書に記載の特徴は、ＰＤＣＣＨの設定具合に関わらず、ＰＵＣＣＨリソースの暗示的マッピングに対する衝突のない解決手段をもたらし得る。以下、ＰＵＣＣＨリソースを暗示的に選択する複数の代替解決手段を説明する。
【００２４】
第１の例示的な方法では、たとえば検索空間セットの最も高いＡＬ（ＡＬ１６）から最も低いＡＬ（ＡＬ１）まで（または、その逆、あるいは原理上、その他任意の候補順序で）、アグリゲーションレベル（ＡＬ）全体で候補インデックスｍ’を導入する。
以下の式に従って、サイズＭのＰＵＣＣＨリソースサブセット中のＰＵＣＣＨリソースを選択する。
【数１３】
2021520736.tif 000015
ここで、ｍｏｄは、モジュロ演算を示し、
【数１４】
2021520736.tif 000016
は、スロットごとに更新される疑似ランダム変数である。
一般化形式においては、
【数１５】
2021520736.tif 000017
としてインデックスｍ’を求める。ここで、
【数１６】
2021520736.tif 000018
は、ＣＯＲＥＳＥＴ  ｐと関連付けられた検索空間セットｓに対するアグリゲーションレベルＬのＰＤＣＣＨ候補の設定数を示す。ＡＬ  Ｌに対するインデックスｍ’の関連は形式上、
【数１７】
2021520736.tif 000019
により与えられる。ここで、
【数１８】
2021520736.tif 000020
であり、ｍ’の順序は、最も高いＡＬから最も低いＡＬへの順と仮定する。
モニタリング用にＵＥ１１０に対して設定された２つの異なる検索空間セットのＰＤＣＣＨ候補が同じＣＯＲＥＳＥＴにおいて重複する場合は、最低／最高インデックスの検索空間セット中のｍ（ここで、ｍは、ＰＤＣＣＨ候補インデックスである）を所与としてｍ’を決定する。上述の最高／最低インデックスは、検索空間セットインデックスｓを表す。図２にはｓを示していない。この方法は、２つの異なる検索空間セットに属する候補上でＵＥ１１０がＰＤＣＣＨを見出す場合の曖昧性を解決する。このような場合、ＵＥ１１０は、候補が属する検索空間セットを識別可能となっているのが好ましい。これは、たとえばＤＣＩフォーマットもしくはフォーマットサイズ、ＣＲＣ検査に用いられるＲＮＴＩ、またはＤＣＩにおいて搬送される識別子により達成されるようになっていてもよい。
ｍからのｍ’の決定は、ｇＮＢ１７０およびＵＥ１１０の両者で実行する。
図２の「ＡＲＩにより選択されたＰＵＣＣＨリソースサブセット」と表記した部分は、ｍ’のサブセットに対するＰＵＣＣＨリソースのマッピングの様子を示している。また、図２は、１つの検索空間セットについて、ｍ’に対するｍのマッピングを示している。
一変形例において、ＰＤＣＣＨハッシング関数に用いられるランダム変数
【数１９】
2021520736.tif 000021
は、一部／全部のユーザに対して０に設定可能である。
別の変形例においては、別のランダム変数の導入によって、
【数２０】
2021520736.tif 000022
を置き換えるようにしてもよい。ランダム変数は、
【数２１】
2021520736.tif 000023
等のスロットごとに更新されるようになっていてもよいし、スロット以外の時間スケール上で更新されるようになっていてもよい。
【００２５】
この例示的な方法によって、基地局は、ＰＤＣＣＨの送信に使用する候補インデックスを決定する（これは、ＰＵＣＣＨリソースを暗示的にシグナリングする）。ＵＥ１１０は、検索中のＰＤＣＣＨを受信された後、その候補インデックスを決定することによって、ＰＵＣＣＨリソースを暗示的に決定する。
【００２６】
第２の例示的な方法では、ＰＤＣＣＨ検索空間に割り当てられたＣＣＥをＭ個のサブバンドに分割し、開始ＣＣＥのサブバンドに応じて、ＰＵＣＣＨリソースを選択する。Ｍは、ＰＵＣＣＨリソースサブセット中のＰＵＣＣＨリソースの数である。これは、以下の式により記述可能である。
【数２２】
2021520736.tif 000024
【００２７】
第３の例示的な方法は、第１および第２の方法の混成である。
【００２８】
第１の方法の例
図２は、ＰＵＣＣＨリソースサブセット中のＭ個のＰＵＣＣＨリソースのうちの１つに対するインデックスｍ’の暗示的マッピングを示している。
【００２９】
ＰＵＣＣＨ設定を図２の上部に示す。ＡＲＩにより選択されたＰＵＣＣＨリソースサブセットにおいては、番号０、１、２、および３のＭ＝４個のＰＵＣＣＨリソースが設定されている。ＡＲＩは、ＰＤＣＣＨ上でスケジューリングされたＤＬスケジューリンググラント（ＤＣＩ）内でＵＥ１１０に送信される。ＰＤＣＣＨ候補設定を図２の下部に示す。ＡＬ（１６、８、４、２、１）およびＭ＝４に対するアグリゲーションレベル当たりの設定候補数を（０、２、２、６、６）と仮定して、ｍ’の決定を図３に示すとともに、ＰＵＣＣＨ  ｒの決定を図４に示す。ここで、
【数２３】
2021520736.tif 000025
を仮定すると、非ゼロ値によって、ユーザ固有かつ時変（すなわち、スロットごと）の付加的なシフトがもたらされる。複数のＵＥ１１０の候補数が同じになる場合、Ｍ個のリソースに対するマルチユーザ多重化は、ユーザ固有の
【数２４】
2021520736.tif 000026
によって改善される。
【００３０】
図２は、インデックスｍ’に適用されるサイズＭ＝４のウィンドウをさらに示している。このウィンドウにおいては、ＡＲＩにより選択されたＰＵＣＣＨリソースサブセット内のＰＵＣＣＨリソースに対するＰＤＣＣＨ候補インデックスｍ’のマッピングで衝突が起こらない。ｍ’上でウィンドウをシフトさせる場合は常に、衝突のない暗示的マッピングとなる。
【００３１】
これは、ｇＮＢ１７０におけるパケットスケジューラの実装の複雑性を低減する場合にも都合が良い。ＡＲＩにより選択されたＰＵＣＣＨリソースサブセットにおいて、１つのＰＵＣＣＨリソースが別のＵＥ１１０により占有済みであるものと仮定する。この場合、ｇＮＢ１７０では、占有されたＰＵＣＣＨリソースと衝突しないＰＤＣＣＨ候補をサイズＭのウィンドウ内で検索すれば十分となる。
【００３２】
以下は、図２を参照した一例である。ＵＥ１１０がセルエッジに近いため、ｇＮＢ１７０は、ＵＥ１１０に対して、ＡＬ４のＰＤＣＣＨ上でＤＬグラントをスケジューリングしようとする。ｇＮＢ１７０は、ＵＥ１１０に対してｍ’＝２を選択する。ただし、暗示タグ付けされたＰＵＣＣＨリソース２は、別のＵＥ１１０に割当て済みである。そこで、ｇＮＢ１７０は、ＡＬ４のｍ’＝３を使用して、ＤＬグラントをＵＥ１１０に送るようにしてもよいし、ＰＵＣＣＨリソース３が別のＵＥ１１０に割当て済みの場合は、いずれもＡＬ８のｍ’＝１またはｍ’＝０を使用するようにしてもよい。ウィンドウ内の４つのＰＤＣＣＨ候補がすべてＰＵＣＣＨ上で衝突する場合、ｇＮＢ１７０は、ＵＥ１１０に対して設定されたＰＤＣＣＨ候補の数に関わらず、ＰＤＣＣＨ候補を別途検索する必要がない。
【００３３】
図２は、暗示的マッピングに関してｍ’に追加可能なランダム変数
【数２５】
2021520736.tif 000027
を示していない。この数字は、スロット内の固定オフセットとして機能するため、上述したようなＰＵＣＣＨ上のブロッキングの低減に有効である。
【００３４】
第２の方法の例
ＡＬ（８、４、２、１）、Ｍ＝４、
【数２６】
2021520736.tif 000028
に対するアグリゲーションレベル当たりの候補数を（２、２、６、６）と仮定すると、ＣＯＲＥＳＥＴは、ＮCCE,p＝１８個のＣＣＥを含む。それぞれ異なるシェーディングで示される各候補は、図５の凡例に示すように、ｒ＝０、１、２、３に対応する。また、この解決手段は、ＰＤＣＣＨ候補の選択によって暗示的に、ｒの選択に関して比較的良好な多様性をもたらす。
【００３５】
利点
上記両方法の利点として、従来技術とは異なり、ＣＯＲＥＳＥＴおよび検索空間セットの設定に関わらず、候補が異なればｒの値も異なることになる。第１の方法の利点として、設定ＰＤＣＣＨ候補数が少ない微小検索空間セットの場合に、優れた動作となる。第２の方法の利点は、現行の取り決めにより沿ったものとなっている点である。すなわち、ｒに対するマッピングがＰＤＣＣＨ候補の開始ＣＣＥインデックスによって決まる点である。
【００３６】
第３の方法の例
第３の方法は、第１および第２の方法の結合である。
第１のステップにおいては、図５に例示の通り、第２の方法に従って、Ｍ個のサブバンドのうちの１つに対して各ＰＤＣＣＨ候補が割り当てられる。
第２のステップにおいては、図６に例示の通り、第１の方法に従って、サブバンド内のＰＤＣＣＨ候補にインデックスｍ’’＝０、１、・・・が番号付けされる。
第３のステップにおいては、図６のｍ’’値を囲む異なるボックス種により例示する通り、第１の方法に従って、インデックスｍ’’がＰＵＣＣＨリソースｒに対してマッピングされる。
図６において、インデックス化は、第１のサブバンドを起点として、各サブバンド内で最も高いＡＬから最も低いＡＬへの順である。
【００３７】
第２の方法に対する上記第３の方法の利点として、ＰＤＣＣＨサブバンド内に、タグ付け可能なＰＵＣＣＨリソースが複数存在する点が挙げられる。これは、ＰＤＣＣＨ上のＤＣＩの周波数選択スケジューリングに対して有効となり得る。以下は一例である。ＵＥ１１０へのＤＣＩ送信には第１のサブバンドが好ましく、第１のＰＵＣＣＨリソース（ｒ＝０）が別のＵＥ１１０により占有されている。第２の方法では、この好適なサブバンド上でＤＣＩを送信できない。
【００３８】
図６の例の問題として、最も高いＡＬ（ＡＬ８）が常に、同じＰＵＣＣＨリソースに対してタグ付けされる。これは、容易にブロッキングに至る可能性がある。タグ付けされたＰＵＣＣＨリソースが別のＵＥ１１０に割当て済みの場合は、セルエッジのＵＥをＡＬ８でサービングできないためである。これについては、サブバンド固有オフセットのインデックスｍ’’への追加（たとえば、巡回シフトまたはランダムオフセット）によって緩和可能である。
【００３９】
第１の方法の別の例
第２および第３の方法の問題を解決する非常に明解な解決手段は、図７に見られるように、第１の方法を採用することである。
【００４０】
ＮＲ規格においては、ＰＤＣＣＨ候補の割当て順序およびＢＤ欠損の適用有無が依然として未解決である。第１の方法によるＢＤ欠損に対する一例を図８に示す。
【００４１】
ＰＤＣＣＨ割当て順序に関する第１の選択肢は、第１の方法とまったく同じで、最も高いＡＬから最も低いＡＬへの順とすることも可能である。ＢＤ欠損の場合は、これによって候補数が少なくなるものの、ＰＵＣＣＨリソースの暗示的タグ付けによってカバレッジ問題が別途導かれることはない。ｍ’の番号付けに関しては、図２のように維持することも可能である。あるいは、ｍ’の番号付けを図８のように修正することも可能であり、ＰＤＣＣＨ候補がマッピングされた場合にのみインデックスｍ’がインクリメントされる（候補が欠損の場合／マッピングされない場合は、ｍ’がインクリメントされない）。後者によって、良好なタグ付け（低ブロッキング）がもたらされる。
【００４２】
あるいは、たとえば
【数２７】
2021520736.tif 000029
のようなＰＤＣＣＨ候補の優先順位の規定により、優先順位ルールに従ってＰＤＣＣＨ割当てが順序付けされるようになっていてもよく、優先順位の上下に沿ってマッピングを行うことも可能であるし、すべてのＡＬにわたる候補間のＣＣＥ重複をマッピング順序に考慮するようにしてもよい。この場合、割当て順序は、異なるＡＬ間で混ざり合ってもよい。たとえば、図９の１行目に示すように、ＡＬの順序は、８、４、２、１、２、１、２、１、８、４、２、１、２、１、２、１であってもよい（または、その他任意の順序であってもよい）。この場合は、インデックスｍ’の割当て方法に問題がある（図９参照）。
インデックスｍ’は、候補マッピング順序で整列可能である（２行目）。ＢＤ欠損がある場合は、これによって、良好なタグ付け（低ブロッキング）がもたらされる。ただし、ＢＤブロッキングがない場合は、不都合となり得る。たとえば、ＡＬ８のタグ付けが常にｒ＝０となる例（３行目）においては、カバレッジの問題が生じ得る。
インデックスｍ’は、最も高いＡＬから最も低いＡＬへの順が可能である（４行目）。これは、ＢＤ欠損がない場合には好ましいが、ＢＤ欠損の場合は次善のタグ付けとなる可能性がある。
簡単な解決手段として、ＢＤ欠損の有無または重大性に応じたｍ’の順序付けが考えられる。たとえば、ＢＤ欠損が存在する場合（または、ＢＤ欠損によってＢＤもしくは最も高いＡＬのＢＤがｘ％（たとえば、５０％）を超えて低下する場合）、ｍ’の順序付けは、候補割当て順序で整列され（２行目）、それ以外の場合、ｍ’の順序付けは、最も高いＡＬから最も低いＡＬへの順（または、その逆）となる（４行目）。
【００４３】
１つの例示的な方法においては、ＵＥにおいて、
ＤＬ割当てを受信するとともに、ＡＲＩを抽出して、ＡＲＩからＰＵＣＣＨリソースサブセットを決定することと、
ＤＬ割当てがデコード化されたＣＯＲＥＳＥＴ  ｐにおける検索空間セットｓ中のＰＤＣＣＨ候補インデックスｍを決定することと、
ＰＤＣＣＨ候補のｍおよびＡＬを所与として、一意のインデックスｍ’を決定することと、
ｍ’、ユーザ固有のオフセットＹ、および物理アップリンク制御チャネルリソースサブセット内のＰＵＣＣＨリソースの数を所与として、ＨＡＲＱ−ＡＣＫフィードバックに対するＰＵＣＣＨリソースサブセット内のＰＵＣＣＨリソースを決定することと、
ＰＵＣＣＨリソース上でＨＡＲＱ−ＡＣＫを送信することと、
を含む態様が実行されるようになっていてもよい。
【００４４】
また、図１０を参照して、１つの例示的な方法は、ブロック２００で示すように、ダウンリンク割当てを受信するとともに、受信されたダウンリンク割当てから、確認応答リソースインジケータを抽出することと、ブロック２０２で示すように、抽出された確認応答リソースインジケータから、物理アップリンク制御チャネルリソースサブセットを決定することと、ブロック２０４で示すように、ダウンリンク割当てがデコード化された制御リソースセットにおける検索空間セット中の物理ダウンリンク制御チャネル候補インデックスを決定することと、ブロック２０６で示すように、物理ダウンリンク制御チャネル候補インデックスに対する一意の候補インデックスおよび物理ダウンリンク制御チャネル候補のアグリゲーションレベルを決定することと、ブロック２０８で示すように、一意の候補インデックスと、ユーザ固有のオフセットと、物理アップリンク制御チャネルリソースサブセット内のＰＵＣＣＨリソースの数と、に基づいて、ハイブリッド自動再送要求確認応答フィードバックに対する物理アップリンク制御チャネルリソースサブセット内の物理アップリンク制御チャネルリソースを決定することと、ブロック２１０で示すように、物理アップリンク制御チャネルリソース上でハイブリッド自動再送要求確認応答を送信することと、を含んでいてもよい。一意の候補インデックスは、検索空間セットにおいて一意であってもよい。ユーザ固有のオフセットは、ゼロに設定されていてもよい。
【００４５】
一態様によれば、ダウンリンク割当てを受信するとともに、受信されたダウンリンク割当てから、確認応答リソースインジケータを抽出する手段と、抽出された確認応答リソースインジケータから、物理アップリンク制御チャネルリソースサブセットを決定する手段と、ダウンリンク割当てがデコード化された制御リソースセットにおける検索空間セット中の物理ダウンリンク制御チャネル候補インデックスを決定する手段と、物理ダウンリンク制御チャネル候補インデックスに対する一意の候補インデックスおよび物理ダウンリンク制御チャネル候補のアグリゲーションレベルを決定する手段と、一意の候補インデックスと、ユーザ固有のオフセットと、物理アップリンク制御チャネルリソースサブセット内のＰＵＣＣＨリソースの数と、に基づいて、ハイブリッド自動再送要求確認応答フィードバックに対する物理アップリンク制御チャネルリソースサブセット内の物理アップリンク制御チャネルリソースを決定する手段と、決定された物理アップリンク制御チャネルリソース上でハイブリッド自動再送要求確認応答を送信する手段と、を備えた装置において、例示的な一実施形態が提供されていてもよい。
【００４６】
一態様によれば、少なくとも１つのプロセッサと、コンピュータプログラムコードを含む少なくとも１つの持続性メモリと、を備えた装置であって、少なくとも１つの持続性メモリおよびコンピュータプログラムコードが、少なくとも１つのプロセッサによって、ダウンリンク割当ての受信に少なくとも部分的に基づいて、受信されたダウンリンク割当てから、確認応答リソースインジケータを抽出することと、抽出された確認応答リソースインジケータから、物理アップリンク制御チャネルリソースサブセットを決定することと、ダウンリンク割当てがデコード化された制御リソースセットにおける検索空間セット中の物理ダウンリンク制御チャネル候補インデックスを決定することと、物理ダウンリンク制御チャネル候補インデックスに対する一意の候補インデックスおよび物理ダウンリンク制御チャネル候補のアグリゲーションレベルを決定することと、一意の候補インデックスと、ユーザ固有のオフセットと、物理アップリンク制御チャネルリソースサブセット内のＰＵＣＣＨリソースの数と、に基づいて、ハイブリッド自動再送要求確認応答フィードバックに対する物理アップリンク制御チャネルリソースサブセット内の物理アップリンク制御チャネルリソースを決定することと、決定された物理アップリンク制御チャネルリソース上でハイブリッド自動再送要求確認応答を送信することと、を当該装置に行わせるように構成された、装置において、例示的な一実施形態が提供されていてもよい。
【００４７】
一態様によれば、たとえば図１に示す１２０、１２５、および１２３等、機械により可読で、機械による実行によって、ダウンリンク割当ての受信に少なくとも部分的に基づいて、受信されたダウンリンク割当てから、確認応答リソースインジケータを抽出することと、抽出された確認応答リソースインジケータから、物理アップリンク制御チャネルリソースサブセットを決定することと、ダウンリンク割当てがデコード化された制御リソースセットにおける検索空間セット中の物理ダウンリンク制御チャネル候補インデックスを決定することと、物理ダウンリンク制御チャネル候補インデックスに対する一意の候補インデックスおよび物理ダウンリンク制御チャネル候補のアグリゲーションレベルを決定することと、一意の候補インデックスと、ユーザ固有のオフセットと、物理アップリンク制御チャネルリソースサブセット内のＰＵＣＣＨリソースの数と、に基づいて、ハイブリッド自動再送要求確認応答フィードバックに対する物理アップリンク制御チャネルリソースサブセット内の物理アップリンク制御チャネルリソースを決定することと、決定された物理アップリンク制御チャネルリソース上でハイブリッド自動再送要求確認応答を送信することと、を含む動作を実行可能な命令のプログラムを明確に具体化した持続性プログラム記憶装置において、例示的な一実施形態が提供されていてもよい。
【００４８】
別の例示的な方法においては、基地局またはネットワーク要素において、
ＡＲＩを選択するとともに、ＰＵＣＣＨリソースサブセットを決定することと、
ＣＯＲＥＳＥＴ  ｐにおける検索空間セットｓ中の１つまたは複数のＰＤＣＣＨ候補のｍおよびＡＬを所与として、一意のインデックスｍ’を決定することと、
ｍ’、ユーザ固有のオフセットＹ、および物理アップリンク制御チャネルリソースサブセット内のＰＵＣＣＨリソースの数を所与として、１つまたは複数のＰＤＣＣＨ候補ごとに、ＨＡＲＱ−ＡＣＫフィードバックに対するＰＵＣＣＨリソースサブセット内のＰＵＣＣＨリソースを決定することと、
ＰＵＣＣＨリソースサブセット内のＰＵＣＣＨリソースを選択するとともに、選択されたＰＵＣＣＨリソースに基づいて、ＤＬ割当てを送信するＰＤＣＣＨ候補を決定することと（これらのステップは、同時最適化として実行されるようになっていてもよい）、
決定されたＰＤＣＣＨ候補上でＡＲＩを含むＤＬ割当てを送信することと、
選択されたＰＵＣＣＨリソース上でＨＡＲＱ−ＡＣＫフィードバックを受信することと、
を含む態様が実行されるようになっていてもよい。
【００４９】
また、図１１を参照して、１つの例示的な方法は、ブロック３００で示すように、確認応答リソースインジケータを選択するとともに、物理アップリンク制御チャネルリソースサブセットを決定することと、ブロック３０２で示すように、制御リソースセットｐにおける検索空間セット中の１つまたは複数の物理ダウンリンク制御チャネル候補の物理ダウンリンク制御チャネル候補インデックスおよびアグリゲーションレベルを所与として、一意のインデックスを決定することと、ブロック３０４で示すように、一意のインデックスと、ユーザ固有のオフセットと、物理アップリンク制御チャネルリソースサブセット内の物理アップリンク制御チャネルリソースの数と、を所与として、１つまたは複数の物理ダウンリンク制御チャネル候補ごとに、ハイブリッド自動再送要求確認応答フィードバックに対する物理アップリンク制御チャネルリソースサブセット内の物理アップリンク制御チャネルリソースを決定することと、ブロック３０６で示すように、物理アップリンク制御チャネルリソースサブセット内の物理アップリンク制御チャネルリソースを選択するとともに、選択された物理アップリンク制御チャネルリソースに基づいて、ダウンリンク割当てを送信する物理ダウンリンク制御チャネル候補を決定することと、ブロック３０８で示すように、決定された物理ダウンリンク制御チャネル候補上で確認応答リソースインジケータを含むダウンリンク割当てを送信することと、ブロック３１０で示すように、選択された物理アップリンク制御チャネルリソース上で確認応答フィードバックを受信することと、を含んでいてもよい。
【００５０】
一態様によれば、確認応答リソースインジケータを選択するとともに、物理アップリンク制御チャネルリソースサブセットを決定する手段と、制御リソースセットにおける検索空間セット中の１つまたは複数の物理ダウンリンク制御チャネル候補の物理ダウンリンク制御チャネル候補インデックスおよびアグリゲーションレベルに基づいて、一意のインデックスを決定する手段と、一意のインデックスと、ユーザ固有のオフセットと、物理アップリンク制御チャネルリソースサブセット内の物理アップリンク制御チャネルリソースの数と、に基づいて、１つまたは複数の物理ダウンリンク制御チャネル候補ごとに、ハイブリッド自動再送要求確認応答フィードバックに対する物理アップリンク制御チャネルリソースサブセット内の物理アップリンク制御チャネルリソースを決定する手段と、物理アップリンク制御チャネルリソースサブセット内の物理アップリンク制御チャネルリソースを選択するとともに、選択された物理アップリンク制御チャネルリソースに基づいて、ダウンリンク割当てを送信する物理ダウンリンク制御チャネル候補を決定する手段と、決定された物理ダウンリンク制御チャネル候補上で確認応答リソースインジケータを含むダウンリンク割当てを送信する手段と、選択された物理アップリンク制御チャネルリソース上で確認応答フィードバックを受信する手段と、を備えた装置において、例示的な一実施形態が提供されていてもよい。
【００５１】
一態様によれば、少なくとも１つのプロセッサと、コンピュータプログラムコードを含む少なくとも１つの持続性メモリと、を備えた装置であって、少なくとも１つの持続性メモリおよびコンピュータプログラムコードが、少なくとも１つのプロセッサによって、確認応答リソースインジケータを選択するとともに、物理アップリンク制御チャネルリソースサブセットを決定することと、制御リソースセットにおける検索空間セット中の１つまたは複数の物理ダウンリンク制御チャネル候補の物理ダウンリンク制御チャネル候補インデックスおよびアグリゲーションレベルに基づいて、一意のインデックスを決定することと、一意のインデックスと、ユーザ固有のオフセットと、物理アップリンク制御チャネルリソースサブセット内の物理アップリンク制御チャネルリソースの数と、に基づいて、１つまたは複数の物理ダウンリンク制御チャネル候補ごとに、ハイブリッド自動再送要求確認応答フィードバックに対する物理アップリンク制御チャネルリソースサブセット内の物理アップリンク制御チャネルリソースを決定することと、物理アップリンク制御チャネルリソースサブセット内の物理アップリンク制御チャネルリソースを選択するとともに、選択された物理アップリンク制御チャネルリソースに基づいて、ダウンリンク割当てを送信する物理ダウンリンク制御チャネル候補を決定することと、決定された物理ダウンリンク制御チャネル候補上で確認応答リソースインジケータを含むダウンリンク割当てを送信することと、選択された物理アップリンク制御チャネルリソース上で確認応答フィードバックを受信可能にすることと、を当該装置に行わせるように構成された、装置において、例示的な一実施形態が提供されていてもよい。
【００５２】
一態様によれば、たとえば図１に示す１５２、１５３、および１５５等、機械により可読で、機械による実行によって、確認応答リソースインジケータを選択するとともに、物理アップリンク制御チャネルリソースサブセットを決定することと、制御リソースセットにおける検索空間セット中の１つまたは複数の物理ダウンリンク制御チャネル候補の物理ダウンリンク制御チャネル候補インデックスおよびアグリゲーションレベルに基づいて、一意のインデックスを決定することと、一意のインデックスと、ユーザ固有のオフセットと、物理アップリンク制御チャネルリソースサブセット内の物理アップリンク制御チャネルリソースの数と、に基づいて、１つまたは複数の物理ダウンリンク制御チャネル候補ごとに、ハイブリッド自動再送要求確認応答フィードバックに対する物理アップリンク制御チャネルリソースサブセット内の物理アップリンク制御チャネルリソースを決定することと、物理アップリンク制御チャネルリソースサブセット内の物理アップリンク制御チャネルリソースを選択するとともに、選択された物理アップリンク制御チャネルリソースに基づいて、ダウンリンク割当てを送信する物理ダウンリンク制御チャネル候補を決定することと、決定された物理ダウンリンク制御チャネル候補上で確認応答リソースインジケータを含むダウンリンク割当てを送信することと、選択された物理アップリンク制御チャネルリソース上で確認応答フィードバックを受信可能にすることと、を含む動作を実行可能な命令のプログラムを明確に具体化した持続性プログラム記憶装置において、例示的な一実施形態が提供されていてもよい。
【００５３】
別の例示的な方法においては、ＵＥにおいて、
ＤＬ割当てを受信するとともに、ＡＲＩを抽出して、ＡＲＩからＰＵＣＣＨリソースサブセットを決定することと、
ＤＬ割当てがデコード化されたＣＯＲＥＳＥＴ  ｐにおける開始制御チャネルエレメントを決定することと、
ＣＯＲＥＳＥＴ  ｐにおける制御チャネルエレメントを１つまたは複数の制御チャネルエレメントサブセットに分離するとともに、サブセットごとにインデックスを決定することであり、サブセットの数が、ＰＵＣＣＨリソースサブセット中のＰＵＣＣＨリソースの数によって決まる、ことと、
開始制御チャネルエレメントを含む制御チャネルエレメントサブセットインデックスに基づいて、ＨＡＲＱ−ＡＣＫフィードバックに対するＰＵＣＣＨリソースサブセット内のＰＵＣＣＨリソースを決定することと、
決定されたＰＵＣＣＨリソース上でＨＡＲＱ−ＡＣＫを送信することと、
を含む態様が実行されるようになっていてもよい。
【００５４】
１つの例示的な方法は、ダウンリンク割当てを受信するとともに、受信されたダウンリンク割当てから、確認応答リソースインジケータを抽出することと、抽出された確認応答リソースインジケータから、物理アップリンク制御チャネルリソースサブセットを決定することと、ダウンリンク割当てがデコード化された制御リソースセットにおける検索空間セット中の開始制御チャネルエレメントを決定することと、制御リソースセットにおける検索空間セット中の制御チャネルエレメントを１つまたは複数の制御チャネルエレメントサブセットに分離するとともに、１つまたは複数の制御チャネルエレメントサブセットごとにインデックスを決定することであり、１つまたは複数の制御チャネルエレメントサブセットの数が、物理アップリンク制御チャネルリソースサブセット中の物理アップリンク制御チャネルリソースの数によって決まる、ことと、開始制御チャネルエレメントを含む制御チャネルエレメントサブセットインデックスに基づいて、ハイブリッド自動再送要求確認応答フィードバックに対する物理アップリンク制御チャネルリソースサブセット内の物理アップリンク制御チャネルリソースを決定することと、決定された物理アップリンク制御チャネルリソース上でハイブリッド自動再送要求確認応答を送信することと、を含んでいてもよい。
【００５５】
ダウンリンク割当てを受信するとともに、受信されたダウンリンク割当てから、確認応答リソースインジケータを抽出する手段と、抽出された確認応答リソースインジケータから、物理アップリンク制御チャネルリソースサブセットを決定する手段と、ダウンリンク割当てがデコード化された制御リソースセットにおける検索空間セット中の開始制御チャネルエレメントを決定する手段と、制御リソースセットにおける検索空間セット中の制御チャネルエレメントを１つまたは複数の制御チャネルエレメントサブセットに分離するとともに、１つまたは複数の制御チャネルエレメントサブセットごとにインデックスを決定する手段であり、１つまたは複数の制御チャネルエレメントサブセットの数が、物理アップリンク制御チャネルリソースサブセット中の物理アップリンク制御チャネルリソースの数によって決まる、手段と、開始制御チャネルエレメントを含む制御チャネルエレメントサブセットインデックスに基づいて、ハイブリッド自動再送要求確認応答フィードバックに対する物理アップリンク制御チャネルリソースサブセット内の物理アップリンク制御チャネルリソースを決定する手段と、決定された物理アップリンク制御チャネルリソース上でハイブリッド自動再送要求確認応答を送信する手段と、を備えた装置において、別の例示的な実施形態が提供されていてもよい。
【００５６】
一態様によれば、少なくとも１つのプロセッサと、コンピュータプログラムコードを含む少なくとも１つの持続性メモリと、を備えた装置であって、少なくとも１つの持続性メモリおよびコンピュータプログラムコードが、少なくとも１つのプロセッサによって、ダウンリンク割当ての受信に少なくとも部分的に基づいて、受信されたダウンリンク割当てから、確認応答リソースインジケータを抽出することと、抽出された確認応答リソースインジケータから、物理アップリンク制御チャネルリソースサブセットを決定することと、ダウンリンク割当てがデコード化された制御リソースセットにおける検索空間セット中の開始制御チャネルエレメントを決定することと、制御リソースセットにおける検索空間セット中の制御チャネルエレメントを１つまたは複数の制御チャネルエレメントサブセットに分離するとともに、１つまたは複数の制御チャネルエレメントサブセットごとにインデックスを決定することであり、１つまたは複数の制御チャネルエレメントサブセットの数が、物理アップリンク制御チャネルリソースサブセット中の物理アップリンク制御チャネルリソースの数によって決まる、ことと、開始制御チャネルエレメントを含む制御チャネルエレメントサブセットインデックスに基づいて、ハイブリッド自動再送要求確認応答フィードバックに対する物理アップリンク制御チャネルリソースサブセット内の物理アップリンク制御チャネルリソースを決定することと、決定された物理アップリンク制御チャネルリソース上でハイブリッド自動再送要求確認応答を送信することと、を当該装置に行わせるように構成された、装置において、例示的な一実施形態が提供されていてもよい。
【００５７】
一態様によれば、たとえば図１に示す１２０、１２５、および１２３等、機械により可読で、機械による実行によって、ダウンリンク割当ての受信に少なくとも部分的に基づいて、受信されたダウンリンク割当てから、確認応答リソースインジケータを抽出することと、抽出された確認応答リソースインジケータから、物理アップリンク制御チャネルリソースサブセットを決定することと、ダウンリンク割当てがデコード化された制御リソースセットにおける検索空間セット中の開始制御チャネルエレメントを決定することと、制御リソースセットにおける検索空間セット中の制御チャネルエレメントを１つまたは複数の制御チャネルエレメントサブセットに分離するとともに、１つまたは複数の制御チャネルエレメントサブセットごとにインデックスを決定することであり、１つまたは複数の制御チャネルエレメントサブセットの数が、物理アップリンク制御チャネルリソースサブセット中の物理アップリンク制御チャネルリソースの数によって決まる、ことと、開始制御チャネルエレメントを含む制御チャネルエレメントサブセットインデックスに基づいて、ハイブリッド自動再送要求確認応答フィードバックに対する物理アップリンク制御チャネルリソースサブセット内の物理アップリンク制御チャネルリソースを決定することと、決定された物理アップリンク制御チャネルリソース上でハイブリッド自動再送要求確認応答を送信することと、を含む動作を実行可能な命令のプログラムを明確に具体化した持続性プログラム記憶装置において、例示的な一実施形態が提供されていてもよい。
【００５８】
別の例示的な方法においては、基地局またはネットワーク要素において、
ＡＲＩを選択するとともに、ＰＵＣＣＨリソースサブセットを決定することと、
ＣＯＲＥＳＥＴにおける制御チャネルエレメントを１つまたは複数の制御チャネルエレメントサブセットに分離するとともに、サブセットごとにインデックスを決定することであり、サブセットの数が、ＰＵＣＣＨリソースサブセット中のＰＵＣＣＨリソースの数によって決まる、ことと、
ＰＤＣＣＨ候補の開始制御チャネルエレメントを含むサブセットインデックスに基づいて、１つまたは複数のＰＤＣＣＨ候補ごとに、ＨＡＲＱ−ＡＣＫフィードバックに対するＰＵＣＣＨリソースサブセット中のＰＵＣＣＨリソースを決定することと、
ＰＵＣＣＨリソースサブセット内のＰＵＣＣＨリソースを選択するとともに、選択されたＰＵＣＣＨリソースに基づいて、ＤＬ割当てを送信するＰＤＣＣＨ候補を決定することと（これらのステップは、同時最適化として実行されるようになっていてもよい）、
決定されたＰＤＣＣＨ候補上でＡＲＩを含むＤＬ割当てを送信することと、
選択されたＰＵＣＣＨリソース上でＨＡＲＱ−ＡＣＫフィードバックを受信することと、
を含む態様が実行されるようになっていてもよい。
【００５９】
１つの例示的な方法は、確認応答リソースインジケータを選択するとともに、物理アップリンク制御チャネルリソースサブセットを決定することと、制御リソースセットにおける検索空間セット中の制御チャネルエレメントを１つまたは複数の制御チャネルエレメントサブセットに分離するとともに、１つまたは複数の制御チャネルエレメントサブセットごとにインデックスを決定することであり、１つまたは複数の制御チャネルエレメントサブセットの数が、物理アップリンク制御チャネルリソースサブセット中の物理アップリンク制御チャネルリソースの数によって決まる、ことと、物理ダウンリンク制御チャネル候補の開始制御チャネルエレメントを含む制御チャネルエレメントサブセットインデックスに基づいて、１つまたは複数の物理ダウンリンク制御チャネル候補ごとに、ハイブリッド自動再送要求確認応答フィードバックに対する物理アップリンク制御チャネルリソースサブセット中の物理アップリンク制御チャネルリソースを決定することと、物理アップリンク制御チャネルリソースサブセット内の物理アップリンク制御チャネルリソースを選択するとともに、選択された物理アップリンク制御チャネルリソースに基づいて、ダウンリンク割当てを送信する物理ダウンリンク制御チャネル候補を決定することと、決定された物理ダウンリンク制御チャネル候補上で確認応答リソースインジケータを含むダウンリンク割当てを送信することと、選択された物理アップリンク制御チャネルリソース上で確認応答フィードバックを受信することと、を含んでいてもよい。
【００６０】
確認応答リソースインジケータを選択するとともに、物理アップリンク制御チャネルリソースサブセットを決定する手段と、制御リソースセットにおける検索空間セット中の制御チャネルエレメントを１つまたは複数の制御チャネルエレメントサブセットに分離するとともに、１つまたは複数の制御チャネルエレメントサブセットごとにインデックスを決定する手段であり、１つまたは複数の制御チャネルエレメントサブセットの数が、物理アップリンク制御チャネルリソースサブセット中の物理アップリンク制御チャネルリソースの数によって決まる、手段と、物理ダウンリンク制御チャネル候補の開始制御チャネルエレメントを含む制御チャネルエレメントサブセットインデックスに基づいて、１つまたは複数の物理ダウンリンク制御チャネル候補ごとに、ハイブリッド自動再送要求確認応答フィードバックに対する物理アップリンク制御チャネルリソースサブセット中の物理アップリンク制御チャネルリソースを決定する手段と、物理アップリンク制御チャネルリソースサブセット内の物理アップリンク制御チャネルリソースを選択するとともに、選択された物理アップリンク制御チャネルリソースに基づいて、ダウンリンク割当てを送信する物理ダウンリンク制御チャネル候補を決定する手段と、決定された物理ダウンリンク制御チャネル候補上で確認応答リソースインジケータを含むダウンリンク割当てを送信する手段と、選択された物理アップリンク制御チャネルリソース上で確認応答フィードバックを受信する手段と、を備えた装置において、別の例示的な実施形態が提供されていてもよい。
【００６１】
一態様によれば、少なくとも１つのプロセッサと、コンピュータプログラムコードを含む少なくとも１つの持続性メモリと、を備えた装置であって、少なくとも１つの持続性メモリおよびコンピュータプログラムコードが、少なくとも１つのプロセッサによって、確認応答リソースインジケータを選択するとともに、物理アップリンク制御チャネルリソースサブセットを決定することと、制御リソースセットにおける検索空間セット中の制御チャネルエレメントを１つまたは複数の制御チャネルエレメントサブセットに分離するとともに、１つまたは複数の制御チャネルエレメントサブセットごとにインデックスを決定することであり、１つまたは複数の制御チャネルエレメントサブセットの数が、物理アップリンク制御チャネルリソースサブセット中の物理アップリンク制御チャネルリソースの数によって決まる、ことと、物理ダウンリンク制御チャネル候補の開始制御チャネルエレメントを含む制御チャネルエレメントサブセットインデックスに基づいて、１つまたは複数の物理ダウンリンク制御チャネル候補ごとに、ハイブリッド自動再送要求確認応答フィードバックに対する物理アップリンク制御チャネルリソースサブセット中の物理アップリンク制御チャネルリソースを決定することと、物理アップリンク制御チャネルリソースサブセット内の物理アップリンク制御チャネルリソースを選択するとともに、選択された物理アップリンク制御チャネルリソースに基づいて、ダウンリンク割当てを送信する物理ダウンリンク制御チャネル候補を決定することと、決定された物理ダウンリンク制御チャネル候補上で確認応答リソースインジケータを含むダウンリンク割当てを送信することと、選択された物理アップリンク制御チャネルリソース上で確認応答フィードバックを受信可能にすることと、を当該装置に行わせるように構成された、装置において、例示的な一実施形態が提供されていてもよい。
【００６２】
一態様によれば、機械により可読で、機械による実行によって、確認応答リソースインジケータを選択するとともに、物理アップリンク制御チャネルリソースサブセットを決定することと、制御リソースセットにおける検索空間セット中の制御チャネルエレメントを１つまたは複数の制御チャネルエレメントサブセットに分離するとともに、１つまたは複数の制御チャネルエレメントサブセットごとにインデックスを決定することであり、１つまたは複数の制御チャネルエレメントサブセットの数が、物理アップリンク制御チャネルリソースサブセット中の物理アップリンク制御チャネルリソースの数によって決まる、ことと、物理ダウンリンク制御チャネル候補の開始制御チャネルエレメントを含む制御チャネルエレメントサブセットインデックスに基づいて、１つまたは複数の物理ダウンリンク制御チャネル候補ごとに、ハイブリッド自動再送要求確認応答フィードバックに対する物理アップリンク制御チャネルリソースサブセット中の物理アップリンク制御チャネルリソースを決定することと、物理アップリンク制御チャネルリソースサブセット内の物理アップリンク制御チャネルリソースを選択するとともに、選択された物理アップリンク制御チャネルリソースに基づいて、ダウンリンク割当てを送信する物理ダウンリンク制御チャネル候補を決定することと、決定された物理ダウンリンク制御チャネル候補上で確認応答リソースインジケータを含むダウンリンク割当てを送信することと、選択された物理アップリンク制御チャネルリソース上で確認応答フィードバックを受信可能にすることと、を含む動作を実行可能な命令のプログラムを明確に具体化した持続性プログラム記憶装置において、例示的な一実施形態が提供されていてもよい。
【００６３】
別の例示的な方法においては、基地局またはネットワーク要素において、
ＡＲＩを選択するとともに、ＰＵＣＣＨリソースサブセットを決定することと、
ＣＯＲＥＳＥＴ  ｐにおける検索空間セットｓ中の制御チャネルエレメントを１つまたは複数の制御チャネルエレメントサブセットに分離するとともに、サブセットごとにインデックスを決定することと、
ＣＯＲＥＳＥＴ  ｐにおける制御チャネルエレメントを制御チャネルエレメントサブセットに分離するとともに、サブセットごとにインデックスを決定することであり、サブセットの数が、ＰＵＣＣＨリソースサブセット中のＰＵＣＣＨリソースの数によって決まる、ことと、
各サブセットにおいて、ＣＯＲＥＳＥＴ  ｐにおける１つまたは複数のＰＤＣＣＨ候補のＰＤＣＣＨ候補インデックスｍおよびアグリゲーションレベルＡＬを所与として、一意のインデックスｍ’’を決定することと、
サブセットインデックスｍ’’、ユーザ固有のオフセットＹ、および物理アップリンク制御チャネルリソースサブセット内のＰＵＣＣＨリソースの数を所与として、１つまたは複数のＰＤＣＣＨ候補ごとに、ＨＡＲＱ−ＡＣＫフィードバックに対するＰＵＣＣＨリソースサブセット内のＰＵＣＣＨリソースを決定することと、
ＰＵＣＣＨリソースサブセット内のＰＵＣＣＨリソースを選択するとともに、選択されたＰＵＣＣＨリソースに基づいて、ＤＬ割当てを送信するＰＤＣＣＨ候補を決定することと（これらのステップは、同時最適化として実行されるようになっていてもよい）、
決定されたＰＤＣＣＨ候補上でＡＲＩを含むＤＬ割当てを送信することと、
選択されたＰＵＣＣＨリソース上でＨＡＲＱ−ＡＣＫフィードバックを受信することと、
を含む態様が実行されるようになっていてもよい。
【００６４】
１つの例示的な方法は、確認応答リソースインジケータを選択するとともに、物理アップリンク制御チャネルリソースサブセットを決定することと、制御リソースセットにおける検索空間セット中の制御チャネルエレメントを１つまたは複数の制御チャネルエレメントサブセットに分離するとともに、１つまたは複数の制御チャネルエレメントサブセットごとにインデックスを決定することであり、１つまたは複数の制御チャネルエレメントサブセットの数が、物理アップリンク制御チャネルリソースサブセット中の物理アップリンク制御チャネルリソースの数によって決まる、ことと、１つまたは複数の制御チャネルエレメントサブセットそれぞれにおいて、制御リソースセットにおける検索空間セット中の１つまたは複数の候補の物理ダウンリンク制御チャネル候補インデックスおよびアグリゲーションレベルに基づいて、一意のインデックスを決定することと、物理ダウンリンク制御チャネル候補の開始制御チャネルエレメントを含む制御チャネルエレメントサブセットインデックスと、物理ダウンリンク制御チャネル候補の開始制御チャネルエレメントを含む制御チャネルエレメントサブセットインデックス内の一意のインデックスと、ユーザ固有のオフセットと、物理アップリンク制御チャネルリソースサブセット中の物理アップリンク制御チャネルリソースの数と、に基づいて、１つまたは複数の物理ダウンリンク制御チャネル候補ごとに、ハイブリッド自動再送要求確認応答フィードバックに対する物理アップリンク制御チャネルリソースサブセット中の物理アップリンク制御チャネルリソースを決定することと、物理アップリンク制御チャネルリソースサブセット内の物理アップリンク制御チャネルリソースを選択するとともに、選択された物理アップリンク制御チャネルリソースに基づいて、ダウンリンク割当てを送信する物理ダウンリンク制御チャネル候補を決定することと、決定された物理ダウンリンク制御チャネル候補上で確認応答リソースインジケータを含むダウンリンク割当てを送信することと、選択された物理アップリンク制御チャネルリソース上で確認応答フィードバックを受信することと、を含んでいてもよい。
【００６５】
一態様によれば、確認応答リソースインジケータを選択するとともに、物理アップリンク制御チャネルリソースサブセットを決定する手段と、制御リソースセットにおける検索空間セット中の制御チャネルエレメントを１つまたは複数の制御チャネルエレメントサブセットに分離するとともに、１つまたは複数の制御チャネルエレメントサブセットごとにインデックスを決定する手段であり、１つまたは複数の制御チャネルエレメントサブセットの数が、物理アップリンク制御チャネルリソースサブセット中の物理アップリンク制御チャネルリソースの数によって決まる、手段と、１つまたは複数の制御チャネルエレメントサブセットそれぞれにおいて、制御リソースセットにおける検索空間セット中の１つまたは複数の候補の物理ダウンリンク制御チャネル候補インデックスおよびアグリゲーションレベルに基づいて、一意のインデックスを決定する手段と、物理ダウンリンク制御チャネル候補の開始制御チャネルエレメントを含む制御チャネルエレメントサブセットインデックスと、物理ダウンリンク制御チャネル候補の開始制御チャネルエレメントを含む制御チャネルエレメントサブセットインデックス内の一意のインデックスと、ユーザ固有のオフセットと、物理アップリンク制御チャネルリソースサブセット中の物理アップリンク制御チャネルリソースの数と、に基づいて、１つまたは複数の物理ダウンリンク制御チャネル候補ごとに、ハイブリッド自動再送要求確認応答フィードバックに対する物理アップリンク制御チャネルリソースサブセット中の物理アップリンク制御チャネルリソースを決定する手段と、物理アップリンク制御チャネルリソースサブセット内の物理アップリンク制御チャネルリソースを選択するとともに、選択された物理アップリンク制御チャネルリソースに基づいて、ダウンリンク割当てを送信する物理ダウンリンク制御チャネル候補を決定する手段と、決定された物理ダウンリンク制御チャネル候補上で確認応答リソースインジケータを含むダウンリンク割当てを送信する手段と、選択された物理アップリンク制御チャネルリソース上で確認応答フィードバックを受信する手段と、を備えた装置において、例示的な一実施形態が提供されていてもよい。
【００６６】
一態様によれば、少なくとも１つのプロセッサと、コンピュータプログラムコードを含む少なくとも１つの持続性メモリと、を備えた装置であって、少なくとも１つの持続性メモリおよびコンピュータプログラムコードが、少なくとも１つのプロセッサによって、確認応答リソースインジケータを選択するとともに、物理アップリンク制御チャネルリソースサブセットを決定することと、制御リソースセットにおける検索空間セット中の制御チャネルエレメントを１つまたは複数の制御チャネルエレメントサブセットに分離するとともに、１つまたは複数の制御チャネルエレメントサブセットごとにインデックスを決定することであり、１つまたは複数の制御チャネルエレメントサブセットの数が、物理アップリンク制御チャネルリソースサブセット中の物理アップリンク制御チャネルリソースの数によって決まる、ことと、１つまたは複数の制御チャネルエレメントサブセットそれぞれにおいて、制御リソースセットにおける検索空間セット中の１つまたは複数の候補の物理ダウンリンク制御チャネル候補インデックスおよびアグリゲーションレベルに基づいて、一意のインデックスを決定することと、物理ダウンリンク制御チャネル候補の開始制御チャネルエレメントを含む制御チャネルエレメントサブセットインデックスと、物理ダウンリンク制御チャネル候補の開始制御チャネルエレメントを含む制御チャネルエレメントサブセットインデックス内の一意のインデックスと、ユーザ固有のオフセットと、物理アップリンク制御チャネルリソースサブセット中の物理アップリンク制御チャネルリソースの数と、に基づいて、１つまたは複数の物理ダウンリンク制御チャネル候補ごとに、ハイブリッド自動再送要求確認応答フィードバックに対する物理アップリンク制御チャネルリソースサブセット中の物理アップリンク制御チャネルリソースを決定することと、物理アップリンク制御チャネルリソースサブセット内の物理アップリンク制御チャネルリソースを選択するとともに、選択された物理アップリンク制御チャネルリソースに基づいて、ダウンリンク割当てを送信する物理ダウンリンク制御チャネル候補を決定することと、決定された物理ダウンリンク制御チャネル候補上で確認応答リソースインジケータを含むダウンリンク割当てを送信することと、選択された物理アップリンク制御チャネルリソース上で確認応答フィードバックを受信可能にすることと、を当該装置に行わせるように構成された、装置において、例示的な一実施形態が提供されていてもよい。
【００６７】
一態様によれば、たとえば図１に示す１５２、１５３、および１５５等、機械により可読で、機械による実行によって、確認応答リソースインジケータを選択するとともに、物理アップリンク制御チャネルリソースサブセットを決定することと、制御リソースセットにおける検索空間セット中の制御チャネルエレメントを１つまたは複数の制御チャネルエレメントサブセットに分離するとともに、１つまたは複数の制御チャネルエレメントサブセットごとにインデックスを決定することであり、１つまたは複数の制御チャネルエレメントサブセットの数が、物理アップリンク制御チャネルリソースサブセット中の物理アップリンク制御チャネルリソースの数によって決まる、ことと、１つまたは複数の制御チャネルエレメントサブセットそれぞれにおいて、制御リソースセットにおける検索空間セット中の１つまたは複数の候補の物理ダウンリンク制御チャネル候補インデックスおよびアグリゲーションレベルに基づいて、一意のインデックスを決定することと、物理ダウンリンク制御チャネル候補の開始制御チャネルエレメントを含む制御チャネルエレメントサブセットインデックスと、物理ダウンリンク制御チャネル候補の開始制御チャネルエレメントを含む制御チャネルエレメントサブセットインデックス内の一意のインデックスと、ユーザ固有のオフセットと、物理アップリンク制御チャネルリソースサブセット中の物理アップリンク制御チャネルリソースの数と、に基づいて、１つまたは複数の物理ダウンリンク制御チャネル候補ごとに、ハイブリッド自動再送要求確認応答フィードバックに対する物理アップリンク制御チャネルリソースサブセット中の物理アップリンク制御チャネルリソースを決定することと、物理アップリンク制御チャネルリソースサブセット内の物理アップリンク制御チャネルリソースを選択するとともに、選択された物理アップリンク制御チャネルリソースに基づいて、ダウンリンク割当てを送信する物理ダウンリンク制御チャネル候補を決定することと、決定された物理ダウンリンク制御チャネル候補上で確認応答リソースインジケータを含むダウンリンク割当てを送信することと、選択された物理アップリンク制御チャネルリソース上で確認応答フィードバックを受信可能にすることと、を含む動作を実行可能な命令のプログラムを明確に具体化した持続性プログラム記憶装置において、例示的な一実施形態が提供されていてもよい。
【００６８】
別の例示的な方法においては、ＵＥにおいて、
ＤＬ割当てを受信するとともに、ＡＲＩを抽出して、ＡＲＩからＰＵＣＣＨリソースサブセットを決定することと、
ＤＬ割当てがデコード化されたＣＯＲＥＳＥＴ  ｐにおける検索空間セットｓ中のＰＤＣＣＨ候補インデックスｍおよび開始制御チャネルエレメントを決定することと、
ＣＯＲＥＳＥＴ  ｐにおける検索空間セットｓ中の制御チャネルエレメントを１つまたは複数の制御チャネルエレメントサブセットに分離するとともに、サブセットごとにインデックスを決定することであり、サブセットの数が、ＰＵＣＣＨリソースサブセット中のＰＵＣＣＨリソースの数によって決まる、ことと、
各サブセットにおいて、ＣＯＲＥＳＥＴ  ｐにおける１つまたは複数のＰＤＣＣＨ候補のＰＤＣＣＨ候補インデックスｍおよびアグリゲーションレベルＡＬを所与として一意の候補インデックスｍ’’を決定することと、
開始制御チャネルエレメントを含む制御チャネルエレメントサブセットインデックスと、一意の候補インデックスｍ’’と、ユーザ固有のオフセットＹと、ＰＵＣＣＨリソースサブセット内のＰＵＣＣＨリソースの数と、に基づいて、ＨＡＲＱ−ＡＣＫフィードバックに対するＰＵＣＣＨリソースサブセット内のＰＵＣＣＨリソースを決定することと、
決定されたＰＵＣＣＨリソース上でＨＡＲＱ−ＡＣＫを送信することと、
を含む態様が実行されるようになっていてもよい。
【００６９】
１つの例示的な方法は、ダウンリンク割当てを受信するとともに、受信されたダウンリンク割当てから、確認応答リソースインジケータを抽出することと、抽出された確認応答リソースインジケータから、物理アップリンク制御チャネルリソースサブセットを決定することと、ダウンリンク割当てがデコード化された制御リソースセットにおける検索空間セット中の物理ダウンリンク制御チャネル候補インデックスおよび開始制御チャネルエレメントを決定することと、制御リソースセットにおける検索空間セット中の制御チャネルエレメントを１つまたは複数の制御チャネルエレメントサブセットに分離するとともに、１つまたは複数の制御チャネルエレメントサブセットごとにインデックスを決定することであり、１つまたは複数の制御チャネルエレメントサブセットの数が、物理アップリンク制御チャネルリソースサブセット中の物理アップリンク制御チャネルリソースの数によって決まる、ことと、１つまたは複数の制御チャネルエレメントサブセットそれぞれにおいて、物理ダウンリンク制御チャネル候補インデックスに対する一意の候補インデックスおよび物理ダウンリンク制御チャネル候補のアグリゲーションレベルを決定することと、開始制御チャネルエレメントを含む制御チャネルエレメントサブセットインデックスと、物理ダウンリンク制御チャネル候補の開始制御チャネルエレメントを含む制御チャネルエレメントサブセットインデックス内の一意の候補インデックスと、ユーザ固有のオフセットと、物理アップリンク制御チャネルリソースサブセット内の物理アップリンク制御チャネルリソースの数と、に基づいて、ハイブリッド自動再送要求確認応答フィードバックに対する物理アップリンク制御チャネルリソースサブセット内の物理アップリンク制御チャネルリソースを決定することと、決定された物理アップリンク制御チャネルリソース上でハイブリッド自動再送要求確認応答を送信することと、を含んでいてもよい。
【００７０】
一態様によれば、ダウンリンク割当てを受信するとともに、受信されたダウンリンク割当てから、確認応答リソースインジケータを抽出する手段と、抽出された確認応答リソースインジケータから、物理アップリンク制御チャネルリソースサブセットを決定する手段と、ダウンリンク割当てがデコード化された制御リソースセットにおける検索空間セット中の物理ダウンリンク制御チャネル候補インデックスおよび開始制御チャネルエレメントを決定する手段と、制御リソースセットにおける検索空間セット中の制御チャネルエレメントを１つまたは複数の制御チャネルエレメントサブセットに分離するとともに、１つまたは複数の制御チャネルエレメントサブセットごとにインデックスを決定する手段であり、１つまたは複数の制御チャネルエレメントサブセットの数が、物理アップリンク制御チャネルリソースサブセット中の物理アップリンク制御チャネルリソースの数によって決まる、手段と、１つまたは複数の制御チャネルエレメントサブセットそれぞれにおいて、物理ダウンリンク制御チャネル候補インデックスに対する一意の候補インデックスおよび物理ダウンリンク制御チャネル候補のアグリゲーションレベルを決定する手段と、開始制御チャネルエレメントを含む制御チャネルエレメントサブセットインデックスと、物理ダウンリンク制御チャネル候補の開始制御チャネルエレメントを含む制御チャネルエレメントサブセットインデックス内の一意の候補インデックスと、ユーザ固有のオフセットと、物理アップリンク制御チャネルリソースサブセット内の物理アップリンク制御チャネルリソースの数と、に基づいて、ハイブリッド自動再送要求確認応答フィードバックに対する物理アップリンク制御チャネルリソースサブセット内の物理アップリンク制御チャネルリソースを決定する手段と、決定された物理アップリンク制御チャネルリソース上でハイブリッド自動再送要求確認応答を送信する手段と、を備えた装置において、例示的な一実施形態が提供されていてもよい。
【００７１】
一態様によれば、少なくとも１つのプロセッサと、コンピュータプログラムコードを含む少なくとも１つの持続性メモリと、を備えた装置であって、少なくとも１つの持続性メモリおよびコンピュータプログラムコードが、少なくとも１つのプロセッサによって、ダウンリンク割当ての受信に少なくとも部分的に基づいて、受信されたダウンリンク割当てから、確認応答リソースインジケータを抽出することと、抽出された確認応答リソースインジケータから、物理アップリンク制御チャネルリソースサブセットを決定することと、ダウンリンク割当てがデコード化された制御リソースセットにおける検索空間セット中の物理ダウンリンク制御チャネル候補インデックスおよび開始制御チャネルエレメントを決定することと、制御リソースセットにおける検索空間セット中の制御チャネルエレメントを１つまたは複数の制御チャネルエレメントサブセットに分離するとともに、１つまたは複数の制御チャネルエレメントサブセットごとにインデックスを決定することであり、１つまたは複数の制御チャネルエレメントサブセットの数が、物理アップリンク制御チャネルリソースサブセット中の物理アップリンク制御チャネルリソースの数によって決まる、ことと、１つまたは複数の制御チャネルエレメントサブセットそれぞれにおいて、物理ダウンリンク制御チャネル候補インデックスに対する一意の候補インデックスおよび物理ダウンリンク制御チャネル候補のアグリゲーションレベルを決定することと、開始制御チャネルエレメントを含む制御チャネルエレメントサブセットインデックスと、物理ダウンリンク制御チャネル候補の開始制御チャネルエレメントを含む制御チャネルエレメントサブセットインデックス内の一意の候補インデックスと、ユーザ固有のオフセットと、物理アップリンク制御チャネルリソースサブセット内の物理アップリンク制御チャネルリソースの数と、に基づいて、ハイブリッド自動再送要求確認応答フィードバックに対する物理アップリンク制御チャネルリソースサブセット内の物理アップリンク制御チャネルリソースを決定することと、決定された物理アップリンク制御チャネルリソース上でハイブリッド自動再送要求確認応答を送信することと、を当該装置に行わせるように構成された、装置において、例示的な一実施形態が提供されていてもよい。
【００７２】
一態様によれば、たとえば図１に示す１２０、１２５、および１２３等、機械により可読で、機械による実行によって、ダウンリンク割当ての受信に少なくとも部分的に基づいて、受信されたダウンリンク割当てから、確認応答リソースインジケータを抽出することと、抽出された確認応答リソースインジケータから、物理アップリンク制御チャネルリソースサブセットを決定することと、ダウンリンク割当てがデコード化された制御リソースセットにおける検索空間セット中の物理ダウンリンク制御チャネル候補インデックスおよび開始制御チャネルエレメントを決定することと、制御リソースセットにおける検索空間セット中の制御チャネルエレメントを１つまたは複数の制御チャネルエレメントサブセットに分離するとともに、１つまたは複数の制御チャネルエレメントサブセットごとにインデックスを決定することであり、１つまたは複数の制御チャネルエレメントサブセットの数が、物理アップリンク制御チャネルリソースサブセット中の物理アップリンク制御チャネルリソースの数によって決まる、ことと、１つまたは複数の制御チャネルエレメントサブセットそれぞれにおいて、物理ダウンリンク制御チャネル候補インデックスに対する一意の候補インデックスおよび物理ダウンリンク制御チャネル候補のアグリゲーションレベルを決定することと、開始制御チャネルエレメントを含む制御チャネルエレメントサブセットインデックスと、物理ダウンリンク制御チャネル候補の開始制御チャネルエレメントを含む制御チャネルエレメントサブセットインデックス内の一意の候補インデックスと、ユーザ固有のオフセットと、物理アップリンク制御チャネルリソースサブセット内の物理アップリンク制御チャネルリソースの数と、に基づいて、ハイブリッド自動再送要求確認応答フィードバックに対する物理アップリンク制御チャネルリソースサブセット内の物理アップリンク制御チャネルリソースを決定することと、決定された物理アップリンク制御チャネルリソース上でハイブリッド自動再送要求確認応答を送信することと、を含む動作を実行可能な命令のプログラムを明確に具体化した持続性プログラム記憶装置において、例示的な一実施形態が提供されていてもよい。
【００７３】
上記段落に記載の例示的な実施形態のうちの一部または全部によれば、検索空間セットは、ダウンリンク制御情報のフォーマットと、ダウンリンク制御情報のフォーマットサイズと、巡回冗長検査に用いられる無線ネットワーク一時識別子と、ダウンリンク制御情報において搬送される識別子と、のうちの１つに基づいて決定される。
【００７４】
上記段落に記載の例示的な実施形態のうちの一部または全部によれば、一意のインデックスを決定することは、最も高いアグリゲーションレベルで開始することを含む。
【００７５】
上記段落に記載の例示的な実施形態のうちの一部または全部によれば、一意のインデックスを決定することは、最も低いアグリゲーションレベルで開始することを含む。
【００７６】
上記段落に記載の例示的な実施形態のうちの一部または全部によれば、物理アップリンク制御チャネルリソースサブセット内の物理アップリンク制御チャネルリソースを選択することは、物理アップリンク制御チャネルリソースサブセット内の第１の物理アップリンク制御チャネルリソースが占有されるものと決定することを含む。
【００７７】
上記段落に記載の例示的な実施形態のうちの一部または全部によれば、一意のインデックスは、１つまたは複数の物理ダウンリンク制御チャネル候補の優先順位に少なくとも部分的に基づいて決定される。
【００７８】
上記段落に記載の例示的な実施形態のうちの一部または全部によれば、ユーザ固有のオフセットは、非ゼロ値である。
【００７９】
上記段落に記載の例示的な実施形態のうちの一部または全部によれば、ユーザ固有のオフセットは、ゼロである。
【００８０】
上記段落に記載の例示的な実施形態のうちの一部または全部によれば、一意のインデックスは、検索空間セットにおいて一意である。
【００８１】
上記段落に記載の例示的な実施形態のうちの一部または全部によれば、制御チャネルエレメントサブセットごとに帯域固有のオフセットを決定することをさらに含み、１つまたは複数の物理ダウンリンク制御チャネル候補ごとに、ハイブリッド自動再送要求確認応答フィードバックに対する物理アップリンク制御チャネルリソースサブセット中の物理アップリンク制御チャネルリソースを決定することは、物理ダウンリンク制御チャネル候補の開始制御チャネルエレメントを含む制御チャネルエレメントサブセットインデックスの帯域固有のオフセットにさらに基づく。
【００８２】
上記段落に記載の例示的な実施形態のうちの一部または全部によれば、一意のインデックスは、マッピングされた１つまたは複数の物理ダウンリンク制御チャネル候補の数に少なくとも部分的に基づいて決定される。
【００８３】
上記説明は、例示に過ぎないことが了解されるものとする。当業者によれば、種々代替例および改良例を考案可能である。たとえば、さまざまな従属請求項に列挙する特徴は、任意好適な組み合わせにて互いに結合することも可能である。また、上述の異なる実施形態の特徴は、新たな一実施形態として選択的に結合することも可能である。したがって、本明細書は、添付の特許請求の範囲に含まれるこのようなすべての代替例、改良例、および変形例を包含することが意図される。
【図１】
2021520736.tif 000030
【図２】
2021520736.tif 000031
【図３】
2021520736.tif 000032
【図４】
2021520736.tif 000033
【図５】
2021520736.tif 000034
【図６】
2021520736.tif 000035
【図７】
2021520736.tif 000036
【図８】
2021520736.tif 000037
【図９】
2021520736.tif 000038
【図１０】
2021520736.tif 000039
【図１１】
2021520736.tif 000040
【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
ダウンリンク割当てを受信するとともに、前記受信されたダウンリンク割当てから、確認応答リソースインジケータを抽出することと、
前記抽出された確認応答リソースインジケータから、物理アップリンク制御チャネルリソースサブセットを決定することと、
前記ダウンリンク割当てがデコード化された制御リソースセットにおける検索空間セット中の開始制御チャネルエレメントを決定することと、
前記制御リソースセットにおける前記検索空間セット中の制御チャネルエレメントを１つまたは複数の制御チャネルエレメントサブセットに分離するとともに、前記１つまたは複数の制御チャネルエレメントサブセットごとにインデックスを決定することであり、前記１つまたは複数の制御チャネルエレメントサブセットの数が、前記物理アップリンク制御チャネルリソースサブセット中の物理アップリンク制御チャネルリソースの数によって決まる、ことと、
前記開始制御チャネルエレメントを含む前記制御チャネルエレメントサブセットインデックスに基づいて、ハイブリッド自動再送要求確認応答フィードバックに対する前記物理アップリンク制御チャネルリソースサブセット内の物理アップリンク制御チャネルリソースを決定することと、
前記決定された物理アップリンク制御チャネルリソース上でハイブリッド自動再送要求確認応答を送信することと、
を含む方法。
【請求項２】
少なくとも１つのプロセッサと、
コンピュータプログラムコードを含む少なくとも１つの持続性メモリと、
を備えた装置であって、
前記少なくとも１つの持続性メモリおよび前記コンピュータプログラムコードが、前記少なくとも１つのプロセッサによって、
ダウンリンク割当ての受信に少なくとも部分的に基づいて、前記受信されたダウンリンク割当てから、確認応答リソースインジケータを抽出することと、
前記抽出された確認応答リソースインジケータから、物理アップリンク制御チャネルリソースサブセットを決定することと、
前記ダウンリンク割当てがデコード化された制御リソースセットにおける検索空間セット中の開始制御チャネルエレメントを決定することと、
前記制御リソースセットにおける前記検索空間セット中の制御チャネルエレメントを１つまたは複数の制御チャネルエレメントサブセットに分離するとともに、前記１つまたは複数の制御チャネルエレメントサブセットごとにインデックスを決定することであり、前記１つまたは複数の制御チャネルエレメントサブセットの数が、前記物理アップリンク制御チャネルリソースサブセット中の物理アップリンク制御チャネルリソースの数によって決まる、ことと、
前記開始制御チャネルエレメントを含む前記制御チャネルエレメントサブセットインデックスに基づいて、ハイブリッド自動再送要求確認応答フィードバックに対する前記物理アップリンク制御チャネルリソースサブセット内の物理アップリンク制御チャネルリソースを決定することと、
前記決定された物理アップリンク制御チャネルリソース上でハイブリッド自動再送要求確認応答を送信することと、
を当該装置に行わせるように構成された、装置。
【請求項３】
確認応答リソースインジケータを選択するとともに、物理アップリンク制御チャネルリソースサブセットを決定することと、
制御リソースセットにおける検索空間セット中の制御チャネルエレメントを１つまたは複数の制御チャネルエレメントサブセットに分離するとともに、前記１つまたは複数の制御チャネルエレメントサブセットごとにインデックスを決定することであり、前記１つまたは複数の制御チャネルエレメントサブセットの数が、前記物理アップリンク制御チャネルリソースサブセット中の物理アップリンク制御チャネルリソースの数によって決まる、ことと、
前記物理ダウンリンク制御チャネル候補の開始制御チャネルエレメントを含む制御チャネルエレメントサブセットインデックスに基づいて、１つまたは複数の物理ダウンリンク制御チャネル候補ごとに、ハイブリッド自動再送要求確認応答フィードバックに対する前記物理アップリンク制御チャネルリソースサブセット中の物理アップリンク制御チャネルリソースを決定することと、
前記物理アップリンク制御チャネルリソースサブセット内の物理アップリンク制御チャネルリソースを選択するとともに、前記選択された物理アップリンク制御チャネルリソースに基づいて、ダウンリンク割当てを送信する物理ダウンリンク制御チャネル候補を決定することと、
前記決定された物理ダウンリンク制御チャネル候補上で前記確認応答リソースインジケータを含む前記ダウンリンク割当てを送信することと、
前記選択された物理アップリンク制御チャネルリソース上で確認応答フィードバックを受信することと、
を含む方法。
【請求項４】
少なくとも１つのプロセッサと、
コンピュータプログラムコードを含む少なくとも１つの持続性メモリと、
を備えた装置であって、
前記少なくとも１つの持続性メモリおよび前記コンピュータプログラムコードが、前記少なくとも１つのプロセッサによって、
確認応答リソースインジケータを選択するとともに、物理アップリンク制御チャネルリソースサブセットを決定することと、
制御リソースセットにおける検索空間セット中の制御チャネルエレメントを１つまたは複数の制御チャネルエレメントサブセットに分離するとともに、前記１つまたは複数の制御チャネルエレメントサブセットごとにインデックスを決定することであり、前記１つまたは複数の制御チャネルエレメントサブセットの数が、前記物理アップリンク制御チャネルリソースサブセット中の物理アップリンク制御チャネルリソースの数によって決まる、ことと、
前記物理ダウンリンク制御チャネル候補の開始制御チャネルエレメントを含む制御チャネルエレメントサブセットインデックスに基づいて、１つまたは複数の物理ダウンリンク制御チャネル候補ごとに、ハイブリッド自動再送要求確認応答フィードバックに対する前記物理アップリンク制御チャネルリソースサブセット中の物理アップリンク制御チャネルリソースを決定することと、
前記物理アップリンク制御チャネルリソースサブセット内の物理アップリンク制御チャネルリソースを選択するとともに、前記選択された物理アップリンク制御チャネルリソースに基づいて、ダウンリンク割当てを送信する物理ダウンリンク制御チャネル候補を決定することと、
前記決定された物理ダウンリンク制御チャネル候補上で前記確認応答リソースインジケータを含む前記ダウンリンク割当てを送信することと、
前記選択された物理アップリンク制御チャネルリソース上で確認応答フィードバックを受信可能にすることと、
を当該装置に行わせるように構成された、装置。
【請求項５】
前記検索空間セットが、
ダウンリンク制御情報のフォーマットと、
前記ダウンリンク制御情報のフォーマットサイズと、
巡回冗長検査に用いられる無線ネットワーク一時識別子と、
前記ダウンリンク制御情報において搬送される識別子と、
のうちの１つに基づいて決定される、請求項１に記載の方法。
【請求項６】
前記検索空間セットが、
ダウンリンク制御情報のフォーマットと、
前記ダウンリンク制御情報のフォーマットサイズと、
巡回冗長検査に用いられる無線ネットワーク一時識別子と、
前記ダウンリンク制御情報において搬送される識別子と、
のうちの１つに基づいて決定される、請求項２に記載の装置。
【請求項７】
前記物理アップリンク制御チャネルリソースサブセット内の物理アップリンク制御チャネルリソースを選択することが、前記物理アップリンク制御チャネルリソースサブセット内の第１の物理アップリンク制御チャネルリソースが占有されるものと決定することを含む、請求項３に記載の方法。
【請求項８】
前記物理アップリンク制御チャネルリソースサブセット内の物理アップリンク制御チャネルリソースの選択が、前記物理アップリンク制御チャネルリソースサブセット内の第１の物理アップリンク制御チャネルリソースが占有されるものと決定することを当該装置に行わせること含む、請求項４に記載の装置。
【国際調査報告】
2021520736.tif 000041
2021520736.tif 000042
2021520736.tif 000043